(57)【要約】  作業者が操作部をオン位置にしたときに意図せずオンロックが有効になりオン位置が維持されることを抑制することが可能な作業機を提供する。ハウジング（２）と、ハウジング（２）に収容されるモータ（３）と、ハウジング（２）の一部であり、オン位置とオフ位置との間を移動可能でオン位置のときにモータ（３）が駆動しオフ位置のときにモータ（３）が停止する操作部（４）と、操作部（４）をオン位置で維持させるオンロック位置と操作部のオンロックを解除するオンロック解除位置との間でハウジング（２）に移動可能に支持されるオンロック手段（５）と、を有し、オンロック手段（５）の少なくとも一部は、操作部（４）がオフ位置のときにハウジング（２）の内部に収容されるとともに、操作部（４）がオン位置のときにハウジング（２）の外部に位置する。
2020110543.tif 000002
【特許請求の範囲】
【請求項１】
ハウジングと、前記ハウジングに収容されるモータと、前記ハウジングの一部であり、オン位置とオフ位置との間を移動可能で前記オン位置のときに前記モータが駆動し前記オフ位置のときに前記モータが停止する操作部と、前記モータを駆動状態で維持可能なオンロック手段と、を有し、前記オンロック手段の少なくとも一部は、前記モータをオンさせる操作の前では前記ハウジングの内部に収容されるとともに、前記モータをオンさせる操作によって前記ハウジングの外部に位置して操作可能となることを特徴とする作業機。
【請求項２】
ハウジングと、前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持され、少なくとも前記操作部が前記オン位置にある際に前記ハウジングから突出するオンロック手段と、を有し、前記オンロック手段の少なくとも一部は前記ハウジングの内部に収容されるとともに、前記操作部の位置に応じて前記ハウジングの内部に位置する体積が変化するよう構成され、前記オンロック手段が操作されていない状態において、前記操作部が前記オン位置のときの前記オンロック手段の前記ハウジングからの突出量が、前記操作部が前記オフ位置のときの前記オンロック手段の前記ハウジングからの突出量よりも大きいことを特徴とする作業機。
【請求項３】
前記ハウジングとの間に内部空間を形成するように前記ハウジングの外壁に設けられた遮蔽部をさらに有し、前記オンロック手段の全体は、前記操作部が前記オフ位置のときに前記内部空間に収容されていることを特徴とする請求項１又は２に記載の作業機。
【請求項４】
前記ハウジングと前記操作部が前記オン位置のときに前記オンロック手段の一部が前記遮蔽部から外方に突出するように構成されていることを特徴とする請求項３に記載の作業機。
【請求項５】
前記操作部が前記遮蔽部を有することを特徴とする請求項３又は４に記載の作業機。
【請求項６】
前記遮蔽部には貫通孔が形成され、前記操作部が前記オン位置のときに前記オンロック手段の一部が前記貫通孔から前記遮蔽部の外方に突出していることを特徴とする請求項３から５の何れか一に記載の作業機。
【請求項７】
前記操作部を前記オフ位置に維持するオフロック位置と前記操作部を前記オン位置に移動可能にするオフロック解除位置との間で前記ハウジングに移動可能に支持されるオフロック手段をさらに有し、前記オフロック手段が前記オフロック位置にあるときの前記オンロック手段の前記ハウジングからの突出量は、前記オフロック手段が前記オフロック解除位置にあるときの前記オンロック手段の前記ハウジングからの突出量よりも小さいことを特徴とする請求項３から６の何れか一に記載の作業機。
【請求項８】
前記オフロック手段は前記ハウジングに揺動可能に支持されていることを特徴とする請求項７に記載の作業機。
【請求項９】
前記オフロック手段は前記ハウジングに対して摺動可能に支持されていることを特徴とする請求項７に記載の作業機。
【請求項１０】
前記オフロック手段が前記オフロック解除位置で且つ前記オンロック手段が前記オンロック解除位置のときに前記操作部は前記オフ位置と前記オン位置との間を移動可能であることを特徴とする請求項７から９の何れか一に記載の作業機。
【請求項１１】
前記オフロック手段が前記オフロック解除位置から前記オフロック位置に向かうときの前記オフロック手段の移動方向と、前記オンロック手段が前記オンロック解除位置から前記オンロック位置に向かうときの前記オンロック手段の移動方向とが互いに反対方向であることを特徴とする請求項７から１０の何れか一に記載の作業機。
【請求項１２】
ハウジングと、前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持されるオンロック手段と、前記操作部を前記オフ位置に維持するオフロック位置と前記操作部を前記オン位置に移動可能にするオフロック解除位置との間で前記ハウジングに移動可能に支持されるオフロック手段と、前記ハウジングの長手方向一端部において前記ハウジングに支持され前記モータの駆動力を受けて回転し工具を取付け可能な工具取付部と、を有し、前記オンロック手段は前記オフロック手段よりも前記長手方向において前記工具取付部側にあることを特徴とする作業機。
【請求項１３】
前記モータは前記ハウジングの長手方向に延びる回転軸を有し、前記オンロック手段は前記回転軸に対して一方側に位置し、前記オフロック手段は前記回転軸に対し他方側に設けられていることを特徴とする請求項１２に記載の作業機。
【請求項１４】
ハウジングと、前記オンロック手段は、前記操作部の位置に応じて前記ハウジングの内部に位置する体積が変化するよう構成され、前記操作部が前記オン位置のときの前記オンロック手段の前記ハウジングからの突出量は、前記操作部が前記オフ位置のときの前記オンロック手段の前記ハウジングからの突出量よりも大きいことを特徴とする請求項１に記載の作業機。
【請求項１５】
前記操作部を前記オフ位置に維持するオフロック位置と前記操作部を前記オン位置に移動可能にするオフロック解除位置との間で前記ハウジングに移動可能に支持されるオフロック手段をさらに有し、前記モータをオンさせる操作は、前記操作部への操作、または前記オフロック手段に対する操作の少なくとも一方を含むことを特徴とする請求項１に記載の作業機。 
【発明の詳細な説明】
【技術分野】
【０００１】本発明は作業機に関する。
【背景技術】
【０００２】従来、ディスクグラインダ等で、ハウジングに設けられたスイッチレバーを握ることでモータのスイッチがオン状態になり、モータの駆動力によって本体に取付けられた工具を回転させる作業機が知られている。この種の作業機では、作業者が意図せずモータのスイッチがオン状態にならないようにモータのスイッチのオフ状態を維持させるためのオフロック手段や、モータのスイッチのオン状態を維持させるためのオンロック手段を備える構成が提案されている。（例えば、特許文献１参照）。
【先行技術文献】
【特許文献】
【０００３】
【特許文献１】特開２０１１−１４３４９２号公報
【発明の概要】
【発明が解決しようとする課題】
【０００４】しかし、特許文献１に記載の作業機では、オンロック手段であるオンロックレバーがハウジングから常時露出しており、モータをオンさせる動作の前でもオンロックレバーに操作力を加えられる構成であるため、オンロックレバーに操作力が加えられた状態で作業者がスイッチをオン状態にしたときに、意図せずオンロックが有効になる恐れがある。また、オフロック手段とオンロック手段の操作箇所を別の位置にすることも誤ったオンロック操作を抑制する効果があるが、特許文献１に記載されるような構成では、スイッチレバーよりも後方にオンロック手段が位置しているため、一方の手でオフロック手段及びスイッチレバーを操作しながら他方の手でオンロック操作を行わなければならず、こうした場合把持状態が不安定になる恐れがある。【０００５】上記課題に鑑み、本発明は、モータのスイッチをオン状態にしたときに作業者が意図せずオンロックが有効にならないような構成の作業機を提供することを目的とする。また、別の目的として、操作性の良いオンロック手段を有する作業機を提供することを目的とする。
【課題を解決するための手段】
【０００６】上記課題を解決するために本発明は、ハウジングと前記ハウジングに収容されるモータと、前記ハウジングの一部であり、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持されるオンロック手段と、を有し、前記オンロック手段の少なくとも一部は、前記モータをオンさせる操作の前では前記ハウジングの内部に収容されるとともに、前記モータをオンさせる操作によって前記ハウジングの外部に位置して操作可能となることを特徴とする作業機を提供する。【０００７】このような構成によれば、意図せずオンロックが有効になってオン位置が維持されることが抑制され、作業性を向上させることができる。【０００８】本発明は更に、ハウジングと前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持され、少なくとも前記操作部が前記オン位置にある際に前記ハウジングから突出するオンロック手段と、を有し、前記オンロック手段の少なくとも一部は前記ハウジングの内部に収容されるとともに、前記操作部の位置に応じて前記ハウジングの内部に位置する体積が変化するよう構成され、前記操作部が前記オン位置のときの前記オンロック手段の前記ハウジングからの突出量は、前記操作部が前記オフ位置のときの前記オンロック手段の前記ハウジングからの突出量よりも大きいことを特徴とする作業機を提供する。【０００９】このような構成によれば、操作部がオフ位置のときのオンロック手段のハウジングからの突出量は、操作部がオン位置のときのオンロック手段の突出量よりも小さいため、操作部がオフ位置のときのオンロック手段の操作は操作部がオン位置のときの操作と比べて困難となり、操作部をオン位置にしたときにオンロック状態となることを防止でき、意図せずオンロックが有効になってオン位置が維持されることが抑制され、作業性を向上させることができる。【００１０】上記構成の作業機において、前記ハウジングとの間に内部空間を形成するように前記ハウジングの外壁に設けられた遮蔽部をさらに有し、前記オンロック手段の全体は、前記操作部が前記オフ位置のときに前記内部空間に収容されていることが好ましい。【００１１】このような構成によれば、操作部がオフ位置のときにオンロック手段の全体は遮蔽部とハウジングとの間の内部空間に収容され操作不可能な状態にあるため、作業者が操作部をオン位置にしたときにオンロック状態となることを防止でき、意図せずオンロックが有効になりオン位置が維持されることが抑制され、作業性を向上させることができる。【００１２】上記構成の作業機において、前記ハウジングと前記操作部が前記オン位置のときに前記オンロック手段の一部が前記遮蔽部から外方に突出するように構成されていることが好ましい。【００１３】上記構成の作業機において、前記操作部が前記遮蔽部を有することが好ましい。【００１４】上記構成の作業機において前記遮蔽部には貫通孔が形成され、前記操作部が前記オン位置のときに前記オンロック手段の一部が前記貫通孔から前記遮蔽部の外方に突出していることが好ましい。【００１５】上記構成の作業機において、前記操作部を前記オフ位置に維持するオフロック位置と前記操作部を前記オン位置に移動可能にするオフロック解除位置との間で前記ハウジングに移動可能に支持されるオフロック手段をさらに有し、前記オフロック手段が前記オフロック位置にあるときの前記オンロック手段の前記ハウジングからの突出量は、前記オフロック手段が前記オフロック解除位置にあるときの前記オンロック手段の前記ハウジングからの突出量よりも小さいことが好ましい。【００１６】このような構成によれば、オフロック手段によって操作部をオフ位置で維持させることによって、作業者が意図せず操作部がオン位置になることを抑制し、作業性を更に向上させることができる。【００１７】上記構成の作業機において、前記オフロック手段は前記ハウジングに揺動可能に支持されていることが好ましい。【００１８】上記構成の作業機において、前記オフロック手段は前記ハウジングに対して摺動可能に支持されていることが好ましい。【００１９】上記構成の作業機において、前記オフロック手段が前記オフロック解除位置で且つ前記オンロック手段が前記オンロック解除位置のときに前記操作部は前記オフ位置と前記オン位置との間を移動可能であることが好ましい。【００２０】上記構成の作業機において、前記オフロック手段が前記オフロック解除位置から前記オフロック位置に向かうときの前記オフロック手段の移動方向と、前記オンロック手段が前記オンロック解除位置から前記オンロック位置に向かうときの前記オンロック手段の移動方向とが互いに反対方向であることが好ましい。【００２１】このような構成によれば、オフロックを有効にするためにオフロック手段を移動させる方向と、オンロックを有効にするためにオンロック手段を移動させる方向とが互いに異なっており、作業者がオフロック手段とオンロック手段の操作の混同を抑制する構成になっているため、作業性を更に向上させることができる。【００２２】上記構成の作業機において、前記モータは前記ハウジングの長手方向に延びる回転軸を有し、前記オンロック手段は、前記オフロック手段とは前記モータの半径方向反対側に設けられていることが好ましい。【００２３】このような構成によれば、ハウジングの外壁においてオフロック手段がオンロック手段とは反対側に設けられており、作業者のオフロック手段とオンロック手段の操作の混同を抑制する構成になっているため、作業性を更に向上させることができる。【００２４】本発明は更に、ハウジングと前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持されるオンロック手段と、前記操作部を前記オフ位置に維持するオフロック位置と前記操作部を前記オン位置に移動可能にするオフロック解除位置との間で前記ハウジングに移動可能に支持されるオフロック手段と、前記ハウジングの長手方向一端部において前記ハウジングに支持され前記モータの駆動力を受けて回転し工具を取付け可能な工具取付部と、を有し、前記オンロック手段は前記オフロック手段よりも前記長手方向において前記工具取付部側にあることを特徴とする作業機を提供する。【００２５】このような構成によれば、作業者は一方の手で作業機の工具取付部側である前方を把持しつつ、他方の手でオフロック解除、操作部のオン位置への移動、オンロック有効化の一連の動作を上記の順番で行うことが容易となる。すなわち、オンロック手段がオフロック手段よりも工具取付部側に設けられているため、上記動作のうち最終工程であるオンロック有効化を操作するためのオンロック手段の位置がスイッチレバーを操作した作業者手の位置と対応する構成となっており、作業性を向上させることができる。
【発明の効果】
【００２６】本発明の作業機によれば、作業者が操作部をオン位置にしたときに意図せずオンロックが有効になることを抑制することができる。また、本発明によれば、操作性の良いオンロック手段を有する作業機を提供できる。
【図面の簡単な説明】
【００２７】
【図１】本発明の第１の実施の形態に係るディスクグラインダの内部構造を示す断面図である。
【図２】本発明の第１の実施の形態に係るディスクグラインダのハウジングとオンロックレバーの外観を示す図であり、（a）はオンロックレバーが装着されたハウジングの分解斜視図、（ｂ）はオンロックレバーの分解斜視図、（ｃ）はオンロックレバーの斜視図である。
【図３】本発明の第１の実施の形態に係るディスクグラインダのスイッチレバーとオフロックレバーの外観を示す図であり、（a）はオフロックレバーの分解斜視図、（ｂ）オフロックレバー装着前のスイッチレバーを示す斜視図、（ｃ）はオフロックレバーが装着されたスイッチレバーを示す斜視図である。
【図４】本発明の第１の実施の形態に係るディスクグラインダの初期位置とオフロック解除位置の状態を示す図であり、（a）はオフロックレバーがオフロック位置にある状態、（ｂ）はオフロックレバーがオフロック解除位置にある状態を示す。
【図５】本発明の第１の実施の形態に係るディスクグラインダのオン位置とオンロック位置の状態を示す図であり、（a）はスイッチレバーがオン位置にある状態、（ｂ）はスイッチレバーがオン位置でオンロックレバーがオンロック位置となる直前の状態を示す。
【図６】本発明の第１の実施の形態に係るディスクグラインダのオン位置とオンロック位置の状態を示す図であり、スイッチレバーがオン位置でオンロックレバーがオンロック位置にある状態を示す。
【図７】本発明の第２の実施の形態に係るディスクグラインダの内部構造を示す断面図である。
【図８】本発明の第２の実施の形態に係るディスクグラインダの初期位置とオフロック解除位置の状態を示す図であり、（a）はオフロック部がオフロック位置にある状態、（ｂ）はオフロック部がオフロック解除位置にある状態を示す。
【図９】本発明の第２の実施の形態に係るディスクグラインダのオン位置とオンロック位置の状態を示す図であり、（a）はスイッチレバー部がオン位置にある状態、（ｂ）はスイッチレバー部がオン位置でオンロックレバーがオンロック位置にある状態を示す。
【図１０】本発明の第３の実施の形態に係るディスクグラインダの内部構造を示す断面図である。
【図１１】本発明の第３の実施の形態に係るディスクグラインダの初期位置とオフロック解除位置の状態を示す図であり、（a）は摺動部がオフロック位置にある状態、（ｂ）は摺動部がオフロック解除位置にある状態を示す。
【図１２】本発明の第３の実施の形態に係るディスクグラインダのオン位置とオンロック位置の状態を示す図であり、（a）は摺動部がオン位置にある状態、（ｂ）は摺動部がオン位置でオンロックレバーがオンロック位置にある状態を示す。
【図１３】本発明の第４の実施の形態に係るディスクグラインダの内部構造を示す断面図である。
【図１４】本発明の第４の実施の形態に係るディスクグラインダの初期位置とオフロック解除位置の状態を示す図であり、（a）はオフロック部がオフロック位置にある状態、（ｂ）はオフロック部がオフロック解除位置にある状態を示す。
【図１５】本発明の第４の実施の形態に係るディスクグラインダのオン位置とオンロック位置の状態を示す図であり、（a）はスイッチレバー部がオン位置にある状態、（ｂ）はスイッチレバー部がオン位置でオンロック部がオンロック位置にある状態を示す。
【発明を実施するための形態】
【００２８】以下、本発明の第１の実施の形態に係る作業機の一例であるディスクグラインダ１について図１乃至図５を参照しながら説明する。図１は本発明の第１の実施の形態に係るディスクグラインダの内部構造を示す断面図である。
【００２９】図１に示されているように、ディスクグラインダ１は、ハウジング２と、モータ３と、スイッチレバー４と、オンロックレバー５と、オフロックレバー６とを備えている。図１に示されている「上」を上方向、「下」を下方向、「前」を前方向、「後」を後方向と定義する。また、ディスクグラインダ１を後から見た場合の「右」を右方向、「左」を左方向と定義する。スイッチレバー４は本発明における「操作部」の一例であり、オンロックレバー５は本発明における「オンロック操作部」の一例であり、オフロックレバー６は本発明における「オフロック操作部」の一例である。
【００３０】ハウジング２は、ディスクグラインダ１の外殻をなしており、テールカバー２１と、モータハウジング２２と、ギヤカバー２３と、スイッチレバー４とを有している。
【００３１】テールカバー２１は、前後方向に延びる略円筒形状をなしており、ハウジング２の後端をなし、テールカバー２１の前端部とモータハウジング２２の後端部とが接続されている。テールカバー２１の内部にはスイッチ２１１が収容されている。テールカバー２１の下側面からは支持部２１２が下方に向かって延びており、支持部２１２の後方であってテールカバー２１の下側面には係止部２１３が設けられ、下側後端部には支点部２１４が設けられている。また、テールカバー２１の下端部には、スイッチレバー４とオンロックレバー５が取付けられている。また、テールカバー２１の後端部からは図示せぬ外部電源に接続される電源コード２１５が延出している。
【００３２】モータハウジング２２は、前後方向に延びる略円筒形状をなしており、モータハウジング２２の後端部は、ギヤカバー２３の前端部に接続されている。モータハウジング２２の内部にはモータ３と、冷却ファン７とが収容されている。
【００３３】ギヤカバー２３は、前後方向に延びる略円筒形状をなしており、内部に動力伝達部２３１を収容している。
【００３４】スイッチ２１１は、スイッチ２１１の下側面から下方に突出するように設けられた押しボタン２１１ａを有する。押しボタン２１１ａの下側面を上方に向けて押圧すると上方に移動し、移動距離が所定の大きさに達すると電源コード２１５を通じてモータ３に電力が供給されるように構成されている。
【００３５】モータ３は、前後方向に延びる回転軸３１を有する。回転軸３１は軸方向が前後方向に一致するようにモータハウジング２２の内部に配置されギヤカバー２３に固定されるベアリング３２とモータハウジング２２に固定されるベアリング３３を介して回転可能に支承されている。
【００３６】冷却ファン７はモータ３の前方に位置し、モータ３の回転軸３１と同軸一体回転できるように回転軸３１に固定されている。冷却ファン７は、冷却ファン７の回転力によって、テールカバー２１に形成されたスリット状の吸気孔２１９から取り入れられた空気がモータ３を通過してギヤカバー２３に形成された図示せぬ排気孔から排出されるように構成されている。
【００３７】動力伝達部２３１は、傘歯車２３２、２３３と、ベアリング２３４と、スピンドル２３５とを有している。動力伝達部２３１は、モータ３から先端工具である砥石８への動力伝達経路上に設けられ、回転軸３１（モータ３）の回転力を砥石８に対して伝達するように構成されている。スピンドル２３５は本発明における工具取付部の一例である。
【００３８】スピンドル２３５は、モータ３の回転軸３１と直交して下方に延び、ギヤカバー２３に固定されるベアリング２３４により回転可能に支持されている。スピンドル２３５の下端には先端工具である砥石８が取付けられている。
【００３９】傘歯車２３２はモータ３の回転軸の３１の前端に固定され、傘歯車２３２は回転軸３１と一体回転する。傘歯車２３２の前方には、傘歯車２３２に噛合する傘歯車２３３が設けられている。傘歯車２３３はスピンドル２３５の上部に固定されており、傘歯車２３３はスピンドル２３５と同軸一体回転する。また、傘歯車２３３の半径は傘歯車２３２の半径よりも大きい。
【００４０】砥石８は円盤形状をなしており、ナット９を介してスピンドル２３５の延びる方向と直交するようにスピンドル２３５に取付けられている。砥石８は、例えば直径１００ｍｍのレジノイドフレキシブルトイシ、フレキシブルトイシ、レジノイドトイシ、サンディングディスク等からなる。砥石８は、用いる砥粒の種類の選択により金属、合成樹脂、大理石、コンクリートなどの表面研磨、曲面研磨が可能である。また、半円形状をなすホイルガード８１が砥石８の後側半分を覆うように取付けられている。ホイルガード８１は、研削された部材や破損した砥粒等の飛散を抑制するためのものである。
【００４１】次に、本発明の第１の実施の形態に係るスイッチレバー４、オンロックレバー５、オフロックレバー６の構成について図１乃至図５を参照しながら説明する。図３（ｂ）に示されるように、スイッチレバー４は、テールカバー２１の長手方向に沿ってテールカバー２１の後端部から前端部に向けて延びており、底部４２と、前壁部４３と、左壁４４と、右壁４５と、突出部４６と、一対の支持部４７と、取付部４８ａ、４８ｂとを有している。左壁４４と、右壁４５と、底部４２は本発明における「遮蔽部」の一例である。
【００４２】底部４２は略平板状でスイッチレバー４の底部をなし、取付部４８ａ、４８ｂは底部４２後端部の上面に設けられている。取付部４８ａ、４８ｂは略円環状をなし、底部４２の上面から上方に延びており、左右方向に所定の間隔をおいて配置されている。取付部４８ａ、４８ｂには、それぞれ左右方向に延びる貫通孔４８１ａ、４８１ｂが形成されている。取付部４８ａ、４８ｂは、貫通孔４８１ａ、４８１ｂに挿通される図示せぬ回動軸を介してテールカバー２１の支点部２１４（軸部）に揺動可能に固定されており、この構成によりスイッチレバー４はテールカバー２１の底部に対して支点部２１４（軸部）を中心に、図４（ｂ）で示すＢ１方向（時計回り）及びＢ２方向（反時計回り）に揺動可能となる。
【００４３】底部４２の取付部４８ａ、４８ｂが設けられている位置の前方の位置には、略矩形で上下方向に貫通する第１貫通孔４９１が形成されている。また、底部４２の第１貫通孔４９１の前方の位置には、略矩形で上下方向に貫通する第２貫通孔４９２が形成されている。第２貫通孔４９２は、本発明における「貫通孔」の一例である。
【００４４】支持部４７は、左右方向に所定の間隔をおいて位置する右支持部４７Ａと左支持部（不図示）とにより構成されている。右支持部４７Ａと左支持部（不図示）とは、左右対称に構成されているため、右支持部４７Ａについてのみ説明し、左支持部（不図示）についての詳細な構成の説明は省略する。右支持部４７Ａは、右壁４５から左方に延びる略直方体形状をなしている。右支持部４７Ａは、第１貫通孔４９１より上側に位置している。右支持部４７Ａには、受入溝４７ａが形成されている。受入溝４７ａは、右支持部４７Ａの左面から右方向に延び上方に開口している。
【００４５】突出部４６は、底部４２の上面で支持部４７と第２貫通孔４９２との間に位置し、略円筒形状をなして上方に延びている。突出部４６は、下方に突出する爪部を有する係止部４６１と、円筒部４６２とを有している。前壁部４３は、底部４２の上面の前端部で第１貫通孔４９１の前方に位置し、平板形状をなし上方に延びている。左壁４４と右壁４５は、底部４２の上面の左右端部に位置し、前壁部４３及び突出部４６を左右両側から挟むようにして配置され、それぞれ平板形状をなし上方に延びている。
【００４６】図２（ｂ）に示されるように、オンロックレバー５は、略平板形状をなしており、オンロックレバー５の上側の端部で先端に爪部を有し係止部４６１と係合可能な係合部５１、オンロックレバー５の中央部に位置し側面視環状をなす支点部５２、オンロックレバー５の係合部５１と反対側の端部をなすレバー部５３、円柱形状をなすシャフト５４、捩りばね５５を有する。シャフト５４は、支点部５２に形成された貫通孔５２１を挿通して、シャフト５４の両端がテールカバー２１の支持部２１２に固定されている。レバー部５３は、シャフト５４を中心に図５（ａ）のＣ１方向（時計回り）とＣ２方向（反時計回り）とに揺動可能となるように構成されている。また、捩りばね５５は、シャフト５４の周囲に巻かれており、オンロックレバー５のレバー部５３をＣ２方向に付勢している。
【００４７】図３（ａ）に示されるように、オフロックレバー６は、略平板形状をなしており、オフロックレバー６の上側の端部の内端部６１、オフロックレバー６の中央部に位置し側面視環状をなす支点部６２、オフロックレバー６の内端部６１と反対側の端部をなすレバー部６３、円柱形状をなすシャフト６４、捩りばね６５を有する。シャフト６４は、支点部６２に形成された貫通孔６２１に挿通され、シャフト６４の両端はスイッチレバー４の右支持部４７Ａの受入溝４７ａ及び図示せぬ左支持部の図示せぬ受入溝に回転可能に固定されており、オフロックレバー６のレバー部６３は支点部６２の回動軸心を中心に図４（ａ）のＡ１方向（時計回り）及びＡ２方向（反時計回り）に揺動可能となるように構成されている。また、捩りばね６５はシャフト６４の周囲に巻かれており、レバー部６３をＢ２方向に付勢している。
【００４８】次に、第１の実施の形態におけるディスクグラインダ１の動作、及びスイッチレバー４と、オンロックレバー５と、オフロックレバー６の操作について図４（a）乃至図６を参照して説明する。ディスクグラインダ１を動作させる際、作業者は一方の手でテールカバー２１の上面と、スイッチレバー４の底部４２を包み込むように把持する。また、必要に応じてモータハウジング２２の周囲、またはギヤカバー２３に取り付けられるサブハンドル等を他方の手で把持する。ディスクグラインダ１の重心はモータ３の領域に位置しており、作業者は重心を挟むように両手でディスクグラインダ１を把持する。図４（ａ）で示されるディスクグラインダ１の状態は、スイッチレバー４、オンロックレバー５、オフロックレバー６のいずれに対しても外力が加わっておらず、且つスイッチレバー４、オンロックレバー５、オフロックレバー６のいずれも動作をしていない初期位置の状態を示している。ディスクグラインダ１の初期位置の状態では、オフロックレバー６のレバー部６３の後面と第１貫通孔４９１を形成する内周面とが捩りばね６５のＡ２方向（図４（ａ））への付勢力により当接している。このとき、レバー部６３の先端部が第１貫通孔４９１から突出している。また、内端部６１とテールカバー２１の係止部２１３とは前後方向の同じ位置にあり、上下方向の所定の間隔をおいて対向している。初期位置の状態では、スイッチレバー４は自重により揺動許容範囲の最も下側の位置で停止した状態にある。また、初期位置の状態では、オンロックレバー５のレバー部５３が捩りばね５５のＣ２方向（図５（ａ））への付勢力により揺動許容範囲の最も右側の位置で停止した状態にある。このときのオンロックレバー５の位置をオンロック解除位置と呼ぶ。このとき、係合部５１と係止部４６１とが係合していない状態にある。
【００４９】ディスクグラインダ１が初期位置の状態のときに作業者がスイッチレバー４の底部４２を握り、図４（ｂ）で示されるＢ１方向の外力を加えたとしても、オフロックレバー６の内端部６１の上面がテールカバー２１の係止部２１３の下面に当たる構成となっており、スイッチレバー４は所定の角度以上に揺動できないため、モータ３を駆動させるための押しボタン２１１ａは突出部４６によって押圧されない。このときのオフロックレバー６の位置をオフロック位置と呼ぶ。また、底部４２の位置が図４（ａ）の位置にあり、押しボタン２１１aが突出部４６によって押圧されていないときのスイッチレバー４の位置をオフ位置と呼ぶ。スイッチレバー４がオフ位置にあるとき、底部４２と、前壁部４３と、左壁４４と、右壁４５と、突出部４６と、テールカバー２１の底部の外表面とによって取囲まれる内部空間４２１が形成されている。内部空間４２１は本発明における「内部空間」の一例である（図４（a））。
【００５０】図４（ａ）に示されるように、スイッチレバー４がオフ位置にあるとき、オンロックレバー５のレバー部５３の全体は内部空間４２１の内部に収容されている。このとき、オンロックレバー５のレバー部５３は内部空間４２１に収容されて操作不能な状態にあるため、作業者がスイッチレバー４を操作する前の段階でオンロックレバー５が操作されてオンロックが有効になることがない。このような構成であれば、作業者がスイッチレバー４をオン位置にして押しボタン２１１ａを押圧してモータ３を駆動させたときに意図せずオンロックが有効になりオン状態が維持されるような事態が生じることなく、操作性を向上させることができる。
【００５１】初期位置の状態で、作業者がオフロックレバー６のレバー部６３に対して図４（ａ）のＡ１方向に外力を加えて支点部６２の回動軸心を中心にレバー部６３を揺動させると、内端部６１は後方に移動し、係止部２１３とオフロックレバー６との間の上下方向の間隔が拡大することにより、スイッチレバー４の底部４２はＢ１方向に揺動可能となる。このとき、スイッチレバー４及びオンロックレバー５に対して何ら外力が加わっておらずスイッチレバー４及びオンロックレバー５は初期位置のままである。図４（ｂ）で示されるオフロックレバー６の位置で、係止部２１３とオフロックレバー６との間に十分な上下方向の間隔があり底部４２がＢ１方向に揺動を許容する状態のオフロックレバー６の位置をオフロック解除位置と呼ぶ。ディスクグラインダ１は、オフロックレバー６がオフロック解除位置で且つオンロックレバー５がオンロック解除位置のときに、スイッチレバー４の底部４２がＢ１方向に揺動が可能となる。
【００５２】図４（ｂ）の状態で、作業者がオフロックレバー６のレバー部６３に外力を加えてオフロックレバー６をオフロック解除位置で維持させたまま、スイッチレバー４の底部４２を握ってＢ１方向の外力を加えると、底部４２は支点部２１４の回動軸心を中心にＢ1方向に揺動する。このとき、オンロックレバー５に対して何ら外力が加わっておらずオンロックレバー５は初期位置のままである。底部４２がＢ1方向に揺動するに伴い、底部４２と共に同一方向に移動する突出部４６が上方に移動してスイッチ２１１の押しボタン２１１ａが押圧されてスイッチ２１１がオンされる。これに伴い、外部電源から電源コード２１５を通じてモータ３に電力が供給され、モータ３が駆動する（図５（a））。底部４２が図５（ａ）の位置にあり、突出部４６によって押しボタン２１１ａが押圧されているときのスイッチレバー４の位置をオン位置と呼ぶ。
【００５３】モータ３が駆動すると、モータ３の回転軸３１と同軸一体回転する傘歯車２３２が回転する。傘歯車２３２の回転力は、傘歯車２３２と噛合している傘歯車２３３に伝達され、傘歯車２３３が回転する。傘歯車２３３の回転に伴い、傘歯車２３３と同軸一体回転するスピンドル２３５が回転しスピンドル２３５の下端に取付けられた砥石８が回転する。なお、モータ３の駆動力は傘歯車２３２と傘歯車２３３との半径比（ギヤ比）に応じて減速されてスピンドル２３５に伝達される。
【００５４】作業者が底部４２をＢ１方向に揺動させると、スイッチレバー４の移動に伴い内部空間４２１に収容されていたオンロックレバー５のレバー部５３の一部は底部４２の第２貫通孔４９２から外部に突出するため、作業者はレバー部５３を操作可能、つまり外力を加えることが可能となる（図５（a））。このとき、図４（ａ）における内端部６１の前面は図５（ａ）に示すようにテールカバー２１の底面と当接しているため、作業者がオフロックレバー６のレバー部６３から指を離しても、レバー部６３はＡ２方向に揺動しない。
【００５５】図５（ａ）で示されるスイッチレバー４をオン位置に維持した状態では、係止部４６１もスイッチレバー４の上昇と共に上昇しているので、作業者がオンロックレバー５の支点部５２の回動軸心を中心にレバー部５３を図５（ａ）のＣ１方向（時計回り）にスイッチレバー４に対して略前方に揺動させると、係合部５１は係止部４６１の下方に位置するように略後方に移動する（図５（ｂ））。このとき、オフロックレバー６の内端部６１の前面はテールカバー２１の底面と当接したままである。作業者が捩りばね５５の付勢力に抗してレバー部５３を指で押さえてレバー部５３の前側の面と第２貫通孔４９２を形成する内周面とを当接させた状態で底部４２を握る力を徐々に弱めると、スイッチレバー４は押しボタン２１１ａの付勢力によってＢ２方向（反時計回り）に揺動し、これに伴いスイッチレバー４に設けられた係止部４６１の爪部が下方に移動し、係合部５１の爪部と係止部４６１の爪部とが係合する（図６）。このとき、作業者がオンロックレバー５のレバー部５３から指を離しても、係止部４６１の移動が係合部５１によって阻害され、また押しボタン２１１ａの付勢力によりレバー部５３の前側の面と第２貫通孔４９２を形成する内周面とは当接したままとなり、係合部５１と係止部４６１の係合状態が維持されるので、スイッチレバー４のＢ２方向の揺動が規制される。より具体的には、テールカバー２１に支持されたオンロックレバー５の係合部５１の爪部とスイッチレバー４の係止部４６１の爪部との係合によるレバー部５３の前側の面と第２貫通孔４９２を形成する内周面との当接によって、スイッチレバー４はＢ２方向への揺動を停止する。このとき、作業者がスイッチレバー４から手を離してもスイッチレバー４の位置はオン位置に維持され、モータ３は駆動し続ける。この状態におけるオンロックレバー５の位置をオンロック位置と呼ぶ。このとき、モータ３が駆動し、且つスイッチレバー４、オンロックレバー５、オフロックレバー６のいずれも動作を停止している状態にある。この状態をディスクグラインダ１のオンロック状態と呼ぶ。
【００５６】次に、ディスクグラインダ１の作動を停止するときの動作について説明する。ディスクグラインダ１がオンロック状態にある場合に（図６）、作業者がスイッチレバー４を握ってＢ１方向に外力を加えると、スイッチレバー４に設けられた係止部４６１がオンロックレバー５に対して上方に移動するため、係止部４６１の爪部は係合部５１の爪部から離間して両者の係合は解除される（図５（ｂ））。これにより、オンロックレバー５のレバー部５３は捩りばね５５の付勢力によってＣ２方向に揺動し、レバー部５３はオンロック解除位置に向けて揺動し、レバー部５３の後面が第２貫通孔４９２を形成する内周面と当接して停止する（図５（a））。係止部４６１の爪部と係合部５１の爪部との係合が解除されたことにより、スイッチレバー４はＢ２方向に揺動可能になり、作業者がスイッチレバー４から手を離すとスイッチレバー４は図示せぬ捩りばねの付勢力により更にＢ２方向に揺動して、オフ位置で移動を停止する（図４（ｂ））。スイッチレバー４の揺動に伴いテールカバー２１とスイッチレバー４の底部４２の前側の先端部との上下方向の距離が拡大していき、当該距離が所定値に達すると、オフロックレバー６の内端部６１の前面とテールカバー２１の底面とが離間する。これに伴いオフロックレバー６のレバー部６３は捩りばね６５の付勢力によりＡ２方向に揺動し、レバー部６３の後面が第１貫通孔を形成する内周面と当接することで、レバー部６３は停止する。このとき、また、スイッチレバー４のＢ２方向への揺動に伴い突出部４６の上面は押しボタン２１１aから離間する方向に移動し、当該離間距離が所定の大きさに達すると、電源コード２１５を介した外部電源からモータ３への電力の供給が停止し、モータ３は駆動を停止する。このとき、モータ３の駆動、及びスイッチレバー４、オンロックレバー５、オフロックレバー６のいずれの動作も停止しており、ディスクグラインダ１の状態は初期位置の状態となる（図４（a））。
【００５７】ディスクグラインダ１では、安定した把持状態を維持するため、作業者は一方の手で前方を把持しつつ、後方において他方の手でオフロックレバー６を操作してオフロック解除、スイッチレバー４のオン位置への移動、オンロックレバー５を操作してオンロック有効化、の一連の動作を上記の順番で行う必要があるところ、前後方向におけるオンロックレバー５の位置がスイッチレバー４の位置と重なるので、スイッチレバー４を操作している手でそのままオンロックレバー５を操作することが容易となり、把持の仕方を変更せずに済むので、安定した作業が可能となる。また、オフロックレバー６よりも前方の位置に設けられているため、オフロックレバー６を操作した後にオンロックレバー５を操作する手の動きを前方向に制限し、把持位置が重量物（モータ３やギヤカバー２３）から遠ざからないようにすることができる。また、オフロックレバー６を操作した一方の手はそのままに、前方を把持する他方の手によってオンロックレバー５を操作することも容易となる。総じて、作業性を向上させることができる。
【００５８】また、ディスクグラインダ１は、オンロックレバー５のレバー部５３の少なくとも一部が、スイッチレバー４がオフ位置（初期位置）のときにハウジング２（テールカバー２１及びスイッチレバー４）の内部に収容され、レバー部５３の当該一部はスイッチレバー４がオン位置のときにハウジング２（スイッチレバー４）の外部に露出する構成となっているため、スイッチレバー４がオフ位置のときにオンロックレバー５へ外力を加えることはスイッチレバー４がオン位置のときと比べて困難となり、スイッチレバー４をオン位置にしたときに意図せずオンロックが有効になってオン位置が維持されることが抑制され、作業性を向上させることができる。また、非作業状態においてはオンロックレバー５がスイッチレバー４によって保護されるようになるので、例えば落下時等においてオンロックレバー５に衝撃が加わり難くなり、比較的小型な部品であるオンロックレバー５の破損を抑制することができる。
【００５９】また、ディスクグラインダ１は、オフロックレバー６がオフロック位置からオフロック解除位置に向かうときのレバー部６３の移動方向と、オンロックレバー５がオンロック位置からオンロック解除位置に向かうときのレバー部５３の移動方向とが互いに反対方向となっており、作業者によるオフロックレバー６の操作とオンロックレバー５の操作との混同を抑制する構成になっており、作業性を更に向上させることができる。
【００６０】本発明の第１の実施の形態にかかる作業機の一例であるディスクグラインダは、上述した実施の形態に限定されず、特許請求の範囲に記載した範囲で種々の変形や改良が可能である。例えば、上述した第１の実施の形態では、スイッチレバー４がオフ位置のときにオンロックレバー５のレバー部５３の全体が内部空間４２１に収容されており、スイッチレバー４がオン位置のときにレバー部５３が第２貫通孔４９２から外部に突出する構成となっているが、上述した構成の替わりに、スイッチレバー４がオン位置のときにオンロックレバー５のレバー部５３の少なくとも一部が内部空間４２１の内部に収容されるとともに、スイッチレバー４の位置に応じてレバー部５３が内部空間４２１の内部に位置する体積が変化するように構成してもよい。すなわち、スイッチレバー４がオン位置のときのレバー部５３の内部空間４２１からの突出量は、スイッチレバー４がオフ位置のときのレバー部５３の内部空間４２１からの突出量よりも大きくなるように構成されていてもよい。このような構成においても、モータ３をオンさせる操作前のとき、すなわちスイッチレバー４がオフ位置のときのレバー部５３の操作はスイッチレバー４がオン位置のときのレバー部５３の操作と比べて困難となるため、スイッチレバー４をオン位置にしたときにオンロック状態となることを防止し、意図せずオンロックが有効になってオン位置が維持されることが抑制され、作業性を向上させることができる。また、モータ３を駆動状態で維持するオンロック手段としてオンロックレバー５という機械的な構造となっているが、オンロックレバー５に換えて電子的なプッシュスイッチとしてもよい。この場合においても、オンロック手段はモータ３をオンさせる操作の前ではハウジング２の内部に位置して外力を加えることが困難となるので、誤ってオンロック手段が動作することを抑制できる。
【００６１】次に、図７乃至図９を参照しながら、本発明の第２の実施の形態に係る作業機の一例であるディスクグラインダ１００について説明する。ディスクグラインダ１００は、基本的に第１の実施の形態に係るディスクグラインダ１と同一の構成を有しており、ディスクグラインダ１と同一の構成については、同一の参照番号を付し説明を適宜省略し、相違する構成及びより詳細に説明すべき構成について主に説明する。また、ディスクグラインダ１と同一の構成については、上記において説明した効果と同様の効果を奏する。
【００６２】図７に示されているように、第２の実施の形態に係るディスクグラインダ１００においては、テールカバー２１に替えて、テールカバー１２１が設けられている。テールカバー１２１の内部には、スイッチ２１１の下方の位置に、下方に延出する係止部２１６が設けられている。テールカバー１２１の後端部にはテールカバー１２１の下端から上方に延びる第２係止部２１８が設けられている。また、第２の実施の形態に係るディスクグラインダ１００においては、スイッチレバー４に替えて、モータハウジング２２及びテールカバー１２１と平行に前後方向に延びるスイッチレバー部１０４が設けられている。また、第２の実施の形態に係るディスクグラインダ１００においては、オンロックレバー５に替えて、係合部１０５１を有するオンロックレバー１０５が設けられている（図７）。オンロックレバー１０５の捩りばね１０５５はレバー部１０５３を図７の時計回り方向に付勢しており、作業者はオンロックレバー１０５をオンロック位置に移動させるときにレバー部１０５３を捩りばね１０５５の付勢力に抗して反時計回り方向に揺動させる。また、第２の実施の形態に係るディスクグラインダ１００においては、オフロックレバー６に替えて、モータハウジング２２及びテールカバー１２１と平行に前後方向に延びるオフロック部１０６が設けられている。
【００６３】スイッチレバー部１０４は、平坦部１０４１と、係合部１０４２と、第１突出部１０４３と、第２突出部１０４４と、後端部１０４５と、ばね１０４６とを有する。平板形状をなして前後方向に延びる平坦部１０４１平坦部１０４１の前端部はモータハウジングの下部に支持されている。平坦部１０４１の下面に対して上方向の外力を加えると、スイッチレバー部１０４は平坦部１０４１の前端部を中心に揺動可能である。係合部１０４２は、側面視逆Ｌ字形状をなし、平坦部１０４１の後端から上方に延出している。係合部１０４２の先端には爪部が設けられている。第１突出部１０４３は、側面視略三角形状をなし、係合部１０４２の後方に位置し、スイッチレバー部１０４の上面から上方に延出している。第２突出部１０４４は、側面視略三角形状をなし、スイッチレバー部１０４の上面から上方に延びている。第２突出部１０４４の上面は押しボタン２１１ａの下面と対向している。後端部１０４５は、スイッチレバー部１０４の後端部をなし、側面視逆Ｌ字形状をなすとともに、後方に延びる爪部を有し、後端部１０４５の爪部の下面は第２係止部２１８の上面の上方に位置している。ばね１０４６は、第１突出部に巻回され、スイッチレバー部１０４の上面から上方に延出し上端をテールカバー１２１の一部に固定され、スイッチレバー部１０４を下方に付勢している。また、スイッチレバー部１０４には、前後方向において係合部１０４２と第１突出部１０４３との間の位置に、上下方向に貫通する貫通孔１０４７が形成されている。
【００６４】オフロック部１０６は、レバー部１０６１と、連結部１０６２と、第３突出部１０６３と、ばね１０６４と、制動部１０６５とを有している。レバー部１０６１は、スイッチレバー部１０４に対して前後方向に摺動可能にスイッチレバー部１０４に下方から支持されている。連結部１０６２は、複数の平板形状の部材が連結されることにより構成され、前後方向に延出している。連結部１０６２の前端部の下面はモータハウジング２２の底壁の内側面と当接している。また、連結部１０６２の中央部の下面はスイッチレバー部１０４の前部の上面と当接しており、連結部１０６２の後端部はレバー部１０６１の前端部と接続されている。また、連結部１０６２には、前後方向において貫通孔１０４７と同位置に、上下方向に延びる貫通孔１０６２ａが形成されている。貫通孔１０６２ａには、オンロックレバー１０５が配置されている。第３突出部１０６３は、側面視略矩形をなし、前後方向においてレバー部１０６１の中央に位置し、レバー部１０６１の上面から上方に延びている。第３突出部１０６３の上端には上方に突出する凸部が設けられている。ばね１０６４は、前後方向に延び、前後方向において第１突出部１０４３と第３突出部１０６３の間に設けられており、第３突出部１０６３を後方に付勢している。
【００６５】制動部１０６５は、当接部１０７０と、押圧部１０７１と、一対のブレーキパッド１０７２と、中間部１０７３と、凸部１０７４と、引掛部１０７５と、ばね１０７６と、ばね１０７７とを有する。当接部１０７０は、円環形状をなし、冷却ファン７の前方に位置し、中央部に形成された貫通孔にはモータ３の回転軸３１が固定されている。これにより、回転軸３１と押圧部１０７１とは前後方向に延びる軸心を中心に一体回転可能である。押圧部１０７１は、円環形状をなし、当接部１０７０の前方に位置し、中央部に形成された貫通孔には回転軸３１が挿通されており、前後方向に移動可能にモータハウジング２２に支持されている。なお、押圧部１０７１の中央部に形成された貫通孔は回転軸３１の外径よりも大きい外径を有している。一対のブレーキパッド１０７２は、押圧部１０７１の後面に回転軸３１の軸心に関して対称に設けられている。中間部１０７３は、円環形状をなし、中央部に形成された貫通孔に回転軸３１が挿通されている。なお、中間部１０７３の中央部に形成された貫通孔は回転軸３１の外径よりも大きい外径を有している。また、ディスクグラインダ１００に外力が働いていない状態において、中間部１０７３の後面は押圧部１０７１の前面と当接しており、中間部１０７３の上端部後面はモータハウジング２２の内周面と当接しており、中間部１０７３の下端部は、連結部１０６２と接続されている。中間部１０７３は、中間部１０７３とモータハウジング２２の内周面との当接面付近の図示せぬ回動軸心を中心に揺動可能に、モータハウジング２２に支持されている。凸部１０７４は、側面視略矩形をなし、押圧部１０７１の貫通孔を形成する内周面の左側から右方に突出している。引掛部１０７５は、側面視Ｌ字形状をなし、凸部１０７４の上方の位置で中間部１０７３の後面から後方に延出しており、引掛部１０７５の後端部には下方に延びる爪部が設けられている。ばね１０７６は、前後方向において押圧部１０７１の前面とモータハウジング２２の内面との間に設けられて回転軸３１に挿通されており、前後方向に延びて押圧部１０７１を後方に付勢している。ばね１０７７は、回転軸３１よりも上方の位置で前後方向に延び、前後方向において中間部１０７３の前面とモータハウジング２２の内側面との間に設けられる引張ばねであり、中間部１０７３を後方に付勢している。ばね１０７７の付勢力により、連結部１０６２は、中間部１０７３を介して後方に付勢されている。
【００６６】次に、第２の実施の形態におけるディスクグラインダ１００の動作、及びスイッチレバー部１０４と、オンロックレバー１０５と、オフロック部１０６の操作について図８（ａ）乃至図９（ｂ）を参照して説明する。
【００６７】ディスクグラインダ１００を動作させる際、作業者は一方の手でスイッチレバー部１０４の平坦部１０４１の周囲またギヤカバーを支持し、他方の手でオフロック部１０６のレバー部１０６１の周囲を把持する。図８（ａ）で示されるディスクグラインダ１００の状態は、スイッチレバー部１０４、オンロックレバー１０５、オフロック部１０６のいずれに対しても外力が加わっておらず、且つスイッチレバー部１０４、オンロックレバー１０５、オフロック部１０６のいずれも動作をしていない状態を示している。当該状態においては、オフロック部１０６のレバー部１０６１は、ばね１０６４の付勢力により、摺動許容範囲の最も後側の位置で停止した状態にある。このとき、第３突出部１０６３の凸部の上面は、テールカバー１２１の係止部２１６の下面と上下方向に所定の距離をおいて対向している。また、初期位置の状態では、ばね１０４６によりスイッチレバー部１０４はＢ２方向（図８（ｂ））にテールカバー１２１に対して略下方に付勢されており、スイッチレバー部１０４の揺動許容範囲の最も下側の位置で停止した状態にある。また、オンロックレバー１０５のレバー部１０５３が捩りばね１０５５のＣ１方向（図９（ａ））への付勢力により揺動許容範囲の最も左側の位置で停止した状態にある。このときのオンロックレバー１０５の位置をオンロック解除位置と呼ぶ。このとき、係合部１０５１と係合部１０４２とが係合していない状態にある。また、初期位置の状態では、一対のブレーキパッド１０７２の後面と回転軸３１に設けられた当接部１０７０の前面とが当接しており、一対のブレーキパッド１０７２の後面は、ばね１０７６の付勢力により押圧部１０７１を介して当接部１０７０の前面に押圧されているため、誤作動で押しボタン２２１ａが押圧されてモータ３が駆動した場合であっても、一対のブレーキパッド１０７２の後面と当接部１０７０の前面との間の摩擦力よって、回転軸３１の回転は抑制される状態にある。このときの制動部１０６５の状態を、ブレーキ有効状態と呼ぶ。
【００６８】スイッチレバー部１０４、オンロックレバー１０５、オフロック部１０６のいずれも動作をしていない状態のときに作業者がスイッチレバー部１０４に図８（ｂ）で示されるＢ１方向の外力を加えたとしても、第３突出部１０６３の凸部の上面が係止部２１６の下面に当たる構成となっており、平坦部１０４１は所定の角度以上に揺動できないため、モータ３を駆動させるための押しボタン２１１ａは第２突出部１０４４によって押圧されない。このときのオフロック部１０６の位置をオフロック位置と呼ぶ。また、平坦部１０４１の位置が図８（ａ）の位置にあり、押しボタン２１１aが第２突出部１０４４によって押圧されていないときのスイッチレバー部１０４の位置をオフ位置と呼ぶ。スイッチレバー部１０４がオフ位置にあるとき、貫通孔１０６２ａを形成する内周面と貫通孔１０４７を形成する内周面とに取囲まれる内部空間１４２１が形成されている（図８（a））。
【００６９】図８（ａ）に示されるように、スイッチレバー部１０４がオフ位置にあるとき、オンロックレバー１０５のレバー部１０５３の全体は内部空間１４２１の内部に収容されている。このとき、オンロックレバー１０５のレバー部１０５３は内部空間１４２１に収容されて外力を加えることが困難な状態にあるため、作業者がスイッチレバー部１０４を操作する前の段階でオンロックレバー１０５に外力が加わり、意図せずオンロックが有効になることを抑制することができる。
【００７０】作業者がオフロック部１０６のレバー部１０６１に対して図８（ａ）のＡ１方向に外力を加えてレバー部１０６１を前方に摺動させると、レバー部１０６１に設けられた第３突出部１０６３は係止部２１６に対して前方に摺動する。これにより、第３突出部１０６３の上端部と係止部２１６とが上下方向において対向しなくなり（図８（ｂ））、平坦部１０４１はＢ１方向に揺動可能となる。また、レバー部１０６１の摺動に伴い、連結部１０６２もＡ１方向に摺動して、連結部１０６２の前端部が中間部１０７３の下端部を前方に押すため、中間部１０７３は、中間部１０７３の上端部を中心に図８（ｂ）の時計回りに揺動する。これにより、中間部１０７３に設けられた引掛部１０７５も時計回りに揺動するため、引掛部１０７５の後端部をなす爪部は、押圧部１０７１に設けられた凸部１０７４と当接する（図８（ｂ））。引掛部１０７５が更に時計回りに揺動するとともに、ばね１０７６の付勢力に抗して凸部１０７４と共に押圧部１０７１を、モータハウジングに対して略前方に移動させる。これに伴い、押圧部１０７１に設けられた一対のブレーキパッド１０７２の後面は、当接部１０７０の前面から離間する。このときの制動部１０６５の状態を、ブレーキ解除状態と呼ぶ。このとき、スイッチレバー部１０４及びオンロックレバー１０５に対して何ら外力が加わっておらずスイッチレバー部１０４及びオンロックレバー１０５は初期位置のままである。図８（ｂ）で示されるオフロック部１０６の位置で、第３突出部１０６３の上端部と係止部２１６とが上下方向において対向しておらずテールカバー１２１の底面との間に十分な上下方向の間隔があり、平坦部１０４１がＢ１方向に揺動を許容する状態のオフロック部１０６の位置をオフロック解除位置と呼ぶ。ディスクグラインダ１００は、オフロック部１０６がオフロック解除位置で且つオンロックレバー１０５がオンロック解除位置のときに、スイッチレバー部１０４がＢ１方向に揺動可能となる。
【００７１】図８（ｂ）の状態で、作業者が、ばね１０６４の付勢力に抗してオフロック部１０６のレバー部１０６１に外力を加えてオフロック部１０６をオフロック解除位置で維持させたまま、スイッチレバー部１０４の平坦部１０４１を握ってＢ１方向の外力を加えると、平坦部１０４１は、平坦部１０４１の前端部に位置するの図示せぬ回動軸心を中心にＢ1方向に揺動する。このとき、オンロックレバー１０５に対して何ら外力が加わっておらずオンロックレバー１０５は初期位置のままである。また、制動部１０６５はブレーキ解除状態にある。平坦部１０４１がＢ1方向に揺動するに伴い、スイッチレバー部１０４に設けられた第２突出部１０４４が上方に移動してスイッチ２１１の押しボタン２１１ａが押圧される。これに伴い、図示せぬ外部電源から電源コード２１５を通じてモータ３に電力が供給され、モータ３が駆動する（図９（ａ））。平坦部１０４１が図９（ａ）の位置にあり、第２突出部１０４４によって押しボタン２１１ａが押圧されているときのスイッチレバー部１０４の位置をオン位置と呼ぶ。
【００７２】作業者が平坦部１０４１をＢ１方向に揺動させると、スイッチレバー部１０４の移動に伴い内部空間１４２１に収容されていたオンロックレバー１０５のレバー部１０５３の一部はスイッチレバー部１０４の貫通孔１０４７から外部に突出するため、作業者はレバー部１０５３を操作可能となる（図９（ａ））。このとき、図９（ａ）に示すように、第３突出部１０６３の凸部の上面は係止部２１６の下面よりも上方に位置し、第３突出部１０６３の凸部は所定の距離をおいて係止部２１６の前方に位置している。
【００７３】図９（ａ）で示されるスイッチレバー部１０４をオン位置に維持した状態で、作業者がオンロックレバー１０５の支点部５２の回動軸心を中心にレバー部１０５３を図９（ａ）のＣ２方向（反時計回り）に揺動させると、係合部１０５１は係合部１０４２の爪部の下方に位置するように略前方に移動する（図９（ａ））。このとき、第３突出部１０６３の凸部の上面は係止部２１６の下面よりも上方に位置し、第３突出部１０６３の凸部の後面は所定の距離をおいて係止部２１６の前面の前方に位置したままである。作業者が捩りばね１０５５の付勢力に抗してレバー部１０５３を指で押さえて揺動許容範囲の最も右側の位置で維持した状態で平坦部１０４１を握る力を徐々に弱めると、スイッチレバー部１０４は、ばね１０４６の付勢力により平坦部１０４１の前端部を中心にＢ２方向（時計回り）に揺動し、これに伴いスイッチレバー部１０４に設けられた係合部１０４２の爪部が下方に移動し、係合部１０５１の爪部と係合部１０４２の爪部とが係合する（図９（ｂ））。このとき、作業者がオンロックレバー１０５のレバー部１０５３から指を離しても、スイッチレバー部１０４をＢ２方向に付勢してスイッチレバー部１０４側に設けられた係合部１０４２を下降させるばね１０４６の付勢力は、係合部１０５１をＣ１方向に付勢する捩りばね１０５５の付勢力よりも大きいため、係合部１０５１と係合部１０４２との係合が維持されつつ、所定の外力が働かない限り係合部１０５１の爪部と係合部１０４２の爪部との係合が外れることはない。テールカバー１２１に支持されたオンロックレバー１０５の係合部１０５１の爪部と、スイッチレバー部１０４の係合部１０４２の爪部との係合によって、スイッチレバー部１０４はＢ２方向への揺動を停止する。このとき、作業者がレバー部１０６１から手を離すと第３突出部１０６３の凸部の後面が係止部２１６の前面と当接し、レバー部１０６１は後方への摺動を停止する（９（ｂ））。また、このとき作業者が平坦部１０４１から手を離してもスイッチレバー部１０４の位置はオン位置に維持され、モータ３は駆動し続ける。この状態におけるオンロックレバー１０５の位置をオンロック位置と呼ぶ。このとき、モータ３が駆動し、且つスイッチレバー部１０４、オンロックレバー１０５、オフロック部１０６のいずれも動作を停止しており、制動部１０６５はブレーキ解除状態にある。この状態をディスクグラインダ１００のオンロック状態と呼ぶ。
【００７４】次に、ディスクグラインダ１００の作動を停止するときの動作について説明する。ディスクグラインダ１００がオンロック状態にある場合に（図９（ｂ））、作業者がスイッチレバー部１０４を把持して平坦部１０４１を握ってＢ１方向に外力を加えると、スイッチレバー部１０４に設けられた係合部１０４２がオンロックレバー１０５に対して上方に移動するため、係合部１０４２の爪部は係合部１０５１の爪部から離間して両者の係合は解除される。これにより、オンロックレバー１０５のレバー部１０５３は捩りばね１０５５の付勢力によってＣ１方向に揺動し、レバー部１０５３はオンロック解除位置に向けて揺動し、揺動許容範囲の最も左側の位置で停止する（図９（ａ））。係合部１０４２の爪部と係合部１０５１の爪部との係合が解除されたことにより、スイッチレバー部１０４はＢ２方向に揺動可能になり、作業者が平坦部１０４１から手を離すと平坦部１０４１はばね１０４６の付勢力により更にＢ２方向に揺動して、スイッチレバー部１０４のオフ位置で移動を停止する（図８（ｂ））。これに伴いオフロック部１０６のレバー部１０６１はばね１０６４の付勢力によりＡ２方向に摺動し、レバー部１０６１は摺動許容範囲の最も後側の位置で停止する。このとき、押圧部１０７１に設けられた一対のブレーキパッド１０７２は、ばね１０７６の付勢力により当接部１０７０の前面に押圧され、制動部１０６５はブレーキ有効状態となる。平坦部１０４１のＢ２方向への揺動に伴い第２突出部１０４４の上面は押しボタン２１１ａから離間する方向に移動する。第２突出部１０４４が離間する方向に所定距離移動すると、電源コード２１５を介した外部電源からモータ３への電力の供給が停止し、モータ３は駆動を停止する。このとき、モータ３の駆動、及びスイッチレバー部１０４、オンロックレバー１０５、オフロック部１０６のいずれの動作も停止する（図８（ａ））。本実施の形態においても、スイッチレバー部１０４がオフ状態のときに、オンロックレバー１０５がハウジングの内部に収容されて外力が加わりにくい構成となっているので、意図せずオンロック状態になることを抑制できる。
【００７５】次に、図１０を参照しながら、本発明の第３の実施の形態に係る作業機の一例であるディスクグラインダ２００について説明する。ディスクグラインダ２００は、基本的に第２の実施の形態に係るディスクグラインダ１００と同一の構成を有しており、ディスクグラインダ１００と同一の構成については、同一の参照番号を付し説明を適宜省略し、相違する構成及びより詳細に説明すべき構成について主に説明する。また、ディスクグラインダ１００と同一の構成については、上記において説明した効果と同様の効果を奏する。
【００７６】図１０に示されているように、第３の実施の形態に係るディスクグラインダ１００においては、テールカバー１２１に替えて、テールカバー２２１が設けられている。テールカバー２２１は壁部２２１１を有し、壁部２２１１には前後方向に延びる貫通孔２２１１ａが形成される。また、第３の実施の形態に係るディスクグラインダ２００においては、スイッチレバー部１０４及びオフロック部１０６に替えて、摺動部２０６が設けられている。また、第３の実施の形態に係るディスクグラインダ２００においては、オンロックレバー１０５に替えて、オンロックレバー２０５が設けられている。オンロックレバー２０５の上端部には係合部２０５１が形成されており、下端部にはレバー部２０５３が形成されている。またオンロックレバー２０５は、捩りばね１０５５に替えて捩りばね２０５５を有している。捩りばね２０５５はレバー部２０５３を反時計回りに付勢しており、作業者はオンロックレバー２０５をオンロック位置に移動させるときにレバー部２０５３を図１０の時計回りに揺動させる。また、第３の実施の形態に係るディスクグラインダ２００のモータハウジング２２の底壁の内側面には、平板形状をなし前後方向に延びるリンク部２０７が設けられている。リンク部２０７の前端部は中間部１０７３の下端部に接続されている。
【００７７】摺動部２０６は、モータハウジング２２及びテールカバー２２１と平行に前後方向に延び、前後方向に摺動可能にモータハウジング２２及びテールカバー２２１に支持されている。摺動部２０６の前端部の下面は、モータハウジング２２の底壁の内側面と当接しており、摺動部２０６の前端部の前面はリンク部２０７の後端部と当接している。摺動部２０６は、後端部２０６１と、把持部２０６２と、係合部２０６３と、突出部２０６４と、平坦部２０６５とを有する。後端部２０６１は、摺動部２０６の後端部をなし、貫通孔２２１１ａに挿入可能な前後方向に延びる爪部を有する。把持部２０６２は、前後方向において摺動部２０６の中央部に位置し、摺動部２０６の下面から下方に延出している。係合部２０６３は、側面視Ｌ字形状をなし、前後方向において把持部２０６２と同位置にあり、摺動部２０６の上面から上方に延びている。先端に係合部２５１と係合可能な爪部が設けられている。突出部２０６４は、側面視矩形をなし、前後方向において押しボタン２１１ａと同位置にあり、摺動部２０６の上面から上方に延びており、突出部２０６４の上面は、押しボタン２１１ａの下面と対向している。平坦部２０６５は、平板形状をなし、モータハウジング２２の下側の位置に設けられ、モータハウジング２２と略平行に前後方向に延出している。また、摺動部２０６の底壁のオンロックレバー２０５の下方に位置する部分は、前方から後方にかけて上方に向かって傾斜しており、当該斜面には上下方向に貫通する貫通孔２０６６が形成されている。作業者が平坦部２０６５の下面に対して上方向の外力を加えると、摺動部２０６は、摺動部２０６の前端部に位置する図示せぬ回動軸心を中心に揺動可能である。また、摺動部２０６を前後方向に摺動させると、摺動部２０６はリンク部２０７を前方に押し、リンク部２０７の前端と接続されている中間部１０７３の下端部もモータハウジング２２の内部で略前方に移動する。
【００７８】次に、第３の実施の形態におけるディスクグラインダ２００の動作、及びオンロックレバー２０５と摺動部２０６の操作について図１１（ａ）乃至図１２（ｂ）を参照して説明する。
【００７９】ディスクグラインダ２００を動作させる際、作業者は一方の手で摺動部２０６の平坦部２０６５の周囲やギヤカバーを支持し、他方の手で摺動部２０６の把持部２０６２を把持する。図１１（ａ）で示されるディスクグラインダ２００の状態は、摺動部２０６及びオンロックレバー２０５のいずれに対しても外力が加わっておらず、且つ摺動部２０６及びオンロックレバー２０５のいずれも動作をしていない状態を示している。当該状態において、摺動部２０６はばね１０７７の付勢力により、摺動許容範囲の最も後側の位置で停止した状態にある。このとき、後端部２０６１の爪部は貫通孔２２１１ａに挿入されており、後端部２０６１の後面は壁部２２１１の前面と当接している。また、オンロックレバー２０５のレバー部２０５３が捩りばね２０５５のＣ２方向（図１２（ａ））への付勢力により揺動許容範囲の最も右側の位置で停止した状態にある。このときのオンロックレバー２０５の位置をオンロック解除位置と呼ぶ。このとき、係合部２０５１と係合部２０６３とが係合していない状態にある。
【００８０】摺動部２０６及びオンロックレバー２０５のいずれも動作をしていない状態（図１１（ａ））のときに、作業者が摺動部２０６にＢ１方向の外力を加えたとしても、後端部２０６１の爪部が貫通孔２２１１ａを形成する内周面に当たる当たる構成となっており、平坦部２０６５は所定の角度以上に揺動できないため、モータ３を駆動させるための押しボタン２１１ａは突出部２０６４によって押圧されない。このときの摺動部２０６の位置をオフロック位置と呼ぶ。また、平坦部２０６５の位置が図１１（ａ）の位置にあり、押しボタン２１１aが突出部２０６４によって押圧されていないときの摺動部２０６の位置をオフ位置と呼ぶ。摺動部２０６がオフ位置にあるとき、前後方向において貫通孔２０６６と同位置かつ摺動部２０６の外周面の内側に内部空間２４２１が形成されている（図１１（ａ））。
【００８１】図１１（ａ）に示されるように、摺動部２０６がオフ位置にあるとき、オンロックレバー２０５のレバー部２０５３の全体は内部空間２４２１（ハウジング２）の内部に収容されている。このとき、オンロックレバー２０５のレバー部２０５３は内部空間２４２１に収容されて外力を加えることが困難な状態にあるため、作業者が摺動部２０６を操作する前の段階でオンロックレバー２０５が操作されてオンロックが有効になることを抑制できる。
【００８２】作業者が摺動部２０６の把持部２０６２に対して図１１（ａ）のＡ１方向に外力を加えて把持部２０６２を前方に摺動させると、貫通孔２２１１ａの内部に挿入されていた後端部２０６１の爪部の全体は外部に露出する。これにより、後端部２０６１の爪部と貫通孔２２１１ａを規定する内周面とが上下方向において対向しなくなり、テールカバー２２１の底面との間に上下方向に所定の間隔が生じるため、平坦部２０６５はＢ１方向に揺動可能となる。図１１（ｂ）で示される摺動部２０６の位置で、後端部２０６１の爪部と平坦部２０６５がＢ１方向に揺動を許容する状態の摺動部２０６の位置をオフロック解除位置と呼ぶ。このとき、オンロックレバー２０５に対して何ら外力が加わっておらずオンロックレバー２０５は初期位置のままであるが、摺動部２０６の底壁の斜面に形成された貫通孔２０６６は、オンロックレバー２０５のレバー部２０５３に対して前方に移動するため、レバー部２０５３の先端部は貫通孔２０６６から僅かに突出する。言い換えると、ディスクグラインダ２００では、摺動部２０６がオフロック位置にあるときのレバー部２０５３のテールカバー２２１からの突出量は、摺動部２０６がオフロック解除位置にあるときのレバー部２０５３のテールカバー２２１からの突出量よりも小さい。このため、摺動部２０６がオフロック位置にあるときに、作業者が意図せず摺動部２０６がオン位置になることを抑制し作業性を更に向上させることができる。ディスクグラインダ２００は、摺動部２０６がオフロック解除位置で且つオンロックレバー２０５がオンロック解除位置のときに、摺動部２０６がＢ１方向に揺動可能となる。
【００８３】図１１（ｂ）の状態で、作業者が摺動部２０６の把持部２０６２に外力を加えて摺動部２０６をオフロック解除位置で維持させたまま、摺動部２０６にＢ１方向の外力を加えると、摺動部２０６は、摺動部２０６の先端部を中心にＢ１方向に揺動する。このとき、オンロックレバー２０５に対しては何ら外力が加わっていないため、オンロックレバー２０５は初期位置のままである。摺動部２０６がＢ１方向に揺動するに伴い、摺動部２０６に設けられた突出部２０６４が上方に移動してスイッチ２１１の押しボタン２１１ａが押圧されてスイッチ２１１がオンされる。これに伴い、外部電源から電源コード２１５を通じてモータ３に電力が供給され、モータ３が駆動する（図１２（ａ））。平坦部２０６５が図１２（ａ）の位置にあり、突出部２０６４によってスイッチ２１１をオンしているときの摺動部２０６の位置をオン位置と呼ぶ。
【００８４】作業者が摺動部２０６をＢ１方向に揺動させると、摺動部２０６の揺動に伴い、内部空間２４２１に収容されていたオンロックレバー２０５のレバー部２０５３の残りの部分は、摺動部２０６の貫通孔２０６６から外部に突出するため、作業者はレバー部２０５３を操作可能となる（図１２（ａ））。
【００８５】図１２（ａ）で示される摺動部２０６をオン位置に維持した状態で、作業者がオンロックレバー２０５の支点部５２の回動軸心を中心にレバー部２０５３を図１２（ａ）のＣ１方向（時計回り）に摺動部２０６に対して略前方に揺動させると、係合部２０５１は係合部２０６３の爪部の下方に位置するように略後方に移動する（図１２（ａ））。作業者が捩りばね２０５５の付勢力に抗してレバー部２０５３を指で押さえてレバー部２０５３の前面と貫通孔２０６６を形成する内周面とを当接させた状態で平坦部２０６５を握る力を徐々に弱めると、摺動部２０６は自重により図示せぬ回動軸心を中心にＢ２方向（時計回り）に揺動し、これに伴い摺動部２０６に設けられた係合部２０６３の爪部が下方に移動し、係合部２０５１の爪部と係合部２０６３の爪部とが係合する（図１２（ｂ））。このとき、作業者がオンロックレバー２０５のレバー部２０５３から指を離しても、摺動部２０６をＢ２方向に付勢して摺動部２０６側に設けられた係合部２０６３を下降させる摺動部２０６の自重の大きさは、係合部２０５１をＣ２方向に付勢する捩りばね２０５５の付勢力よりも大きいため、係合部２０５１と係合部２０６３との係合が維持されつつ、レバー部２０５３の前面と貫通孔２０６６を形成する内周面とは当接したままであり、所定の外力が働かない限り係合部２０５１の爪部と係合部２０６３の爪部との係合が外れることはない。テールカバー２２１に支持されたオンロックレバー２０５の係合部２０５１の爪部と摺動部２０６の係合部２０６３の爪部との係合によるレバー部２０５３の前面と貫通孔２０６６を形成する内周面とは当接によって、摺動部２０６はＡ２方向への摺動及びＢ２方向への揺動を停止する。このとき作業者が摺動部２０６から手を離しても摺動部２０６の位置はオン位置に維持され、モータ３は駆動し続ける。この状態におけるオンロックレバー２０５の位置をオンロック位置と呼ぶ。このとき、モータ３が駆動し、且つ摺動部２０６、オンロックレバー２０５、摺動部２０６のいずれも動作を停止している状態にある。この状態をディスクグラインダ２００のオンロック状態と呼ぶ。
【００８６】次に、ディスクグラインダ２００の作動を停止するときの動作について説明する。ディスクグラインダ２００がオンロック状態（図１２（ｂ））にある場合に、作業者が摺動部２０６を把持して平坦部２０６５を握ってＢ１方向に外力を加えると、摺動部２０６に設けられた係合部２０６３がオンロックレバー２０５に対して上方に移動するため、係合部２０６３の爪部は係合部２０５１の爪部から離間して両者の係合は解除される（図１２（ａ））。これにより、オンロックレバー２０５のレバー部２０５３は捩りばね２０５５の付勢力によってＣ２方向に揺動し、レバー部２０５３はオンロック解除位置に向けて揺動し、揺動許容範囲の最も右側の位置で停止する（図１２（ａ））。係合部２０６３の爪部と係合部２０５１の爪部との係合が解除されたことにより、摺動部２０６はＢ２方向に揺動可能になり、作業者が摺動部２０６から手を離すと摺動部２０６は自重により更にＢ２方向に揺動して、オフ位置で移動を停止する（図１１（ｂ））。これに伴い、摺動部２０６の把持部２０６２は、ばね１０７７の付勢力によりＡ２方向に摺動し、後端部２０６１の爪部は貫通孔２２１１ａの内部に挿入され、把持部２０６２は摺動許容範囲の最も後側の位置で停止する。また、摺動部２０６のＢ２方向への揺動に伴い突出部２０６４の上面は押しボタン２１１ａから離間する方向に移動する。突出部２０６４が押しボタン２１１ａから離間する方向に所定距離移動すると、当該離間距離が所定の大きさに達すると、電源コード２１５を介した外部電源からモータ３への電力の供給が停止し、モータ３は駆動を停止する。このとき、モータ３の駆動、及び摺動部２０６及びオンロックレバー２０５のいずれの動作も停止する（図１１（ａ））。なお、本発明の第３の実施の形態にかかる作業機の一例であるディスクグラインダは、上述した実施の形態に限定されず、特許請求の範囲に記載した範囲で種々の変形や改良が可能である。以上のように、第３の実施の形態では、第１及び第２の実施の形態と異なり、オンロックレバーが露出するタイミングが異なる。具体的には、スイッチレバーをオン位置にしたタイミングでオンロックレバーが露出する第１及び第２の実施の形態に対し、第３の実施の形態ではオフロックを解除したタイミングでオンロックレバー２０５が露出するようになっている。こういった構成であっても、オフロック解除前の初期状態ではオンロックレバー２０５が露出していないため、モータ３をオンする操作の前にオンロックレバー２０５に外力が加わることを抑制し、意図せずオンロック状態となってしまうことを抑制できる。
【００８７】次に、図１３を参照しながら、本発明の第４の実施の形態に係る作業機の一例であるディスクグラインダ３００について説明する。ディスクグラインダ３００は、基本的に第２の実施の形態に係るディスクグラインダ１００と同一の構成を有しており、ディスクグラインダ１００と同一の構成については、同一の参照番号を付し説明を適宜省略し、相違する構成及びより詳細に説明すべき構成について主に説明する。また、ディスクグラインダ１００と同一の構成については、上記において説明した効果と同様の効果を奏する。
【００８８】図１３に示されているように、第４の実施の形態に係るディスクグラインダ３００においては、テールカバー１２１に替えて、テールカバー３２１が設けられている。テールカバー３２１は、テールカバー３２１の上面のモータ３の後方の位置に上下方向に延びる貫通孔３２１１が形成されている点でテールカバー１２１と異なる。また、第４の実施の形態に係るディスクグラインダ３００においては、スイッチレバー部１０４に替えて、モータハウジング２２及びテールカバー３２１と平湖に前後方向に延びるスイッチレバー部３０４が設けられている。スイッチレバー部３０４の上面には、係合部１０４２に替えて、第１突出部１０４３の後方の位置から上方に延び先端に側面視Ｌ字形状の爪部を有する係合部３０４２が設けられている。また、第４の実施の形態に係るディスクグラインダ３００においては、オンロックレバー１０５に替えて、オンロック部３０５が設けられている。
【００８９】図１３に示されているように、オンロック部３０５は、摺動部３０５１と、中間部３０５２と、ばね３０５３とを有する。摺動部３０５１は、テールカバー３２１に前後方向に摺動可能に支持されており、摺動部３０５１の後端部は中間部３０５２の上端部と接続されている。また、作業者は摺動部３０５１を操作するための凸部が貫通孔３２１１から上方に突出している。ばね３０５３は、前後方向に延び、貫通孔３２１１の下方に位置し、前後方向において摺動部３０５１とテールカバー３２１の内壁との位置に配置され、摺動部３０５１を後方に付勢している。中間部３０５２は支点部３０５４と係合部３０５５とを有する。支点部３０５４は、上下方向において中間部３０５２の中央部分に位置しており、中間部３０５２は、支点部３０５４に形成された貫通孔を挿通する回転軸を介してテールカバー３２１に揺動可能に支承されている。係合部３０５５は、中間部３０５２の下端部に設けられており、係合部３０４２と係合可能な爪部を有している。第４の実施の形態に係るディスクグラインダ３００においては、オンロック部３０５は、オフロック部１０６とはモータ３の半径方向反対側に設けられている。換言すれば、モータ３の回転軸に対し一方（上）側にオンロック部３０５が位置し、他方（下）側にオフロック部１０６が配置されている。これによって、作業者がオンロック部３０５とオフロック部１０６とを混同して操作することを抑制する構成になっているため、作業性を更に向上させることができる。
【００９０】次に、第４の実施の形態におけるディスクグラインダ３００の動作、及びスイッチレバー部３０４と、オンロック部３０５と、オフロック部１０６の操作について図１４（ａ）乃至図１５（ｂ）を参照して説明する。
【００９１】ディスクグラインダ３００を動作させる際、作業者は一方の手でスイッチレバー部３０４の平坦部１０４１を把持し、他方の手でオフロック部１０６のレバー部１０６１を把持する。図１４（ａ）で示されるディスクグラインダ３００の状態は、スイッチレバー部３０４、オンロック部３０５、オフロック部１０６のいずれに対しても外力が加わっておらず、且つスイッチレバー部３０４、オンロック部３０５、オフロック部１０６のいずれも動作をしていない状態を示している。当該状態においては、オフロック部１０６のレバー部１０６１は、ばね１０６４の付勢力により、摺動許容範囲の最も後側の位置で停止した状態にある。このとき、第３突出部１０６３の凸部の上面は、テールカバー３２１の係止部２１６の下面と上下方向に所定の距離をおいて対向している。また、初期位置の状態では、ばね１０４６によりスイッチレバー部３０４はＢ２方向（図１４（ｂ））にテールカバー２２１に対して略下方に付勢されており、スイッチレバー部３０４の揺動許容範囲の最も下側の位置で停止した状態にある。また、オンロック部３０５の摺動部３０５１がばね３０５３のＣ１方向（図１５（ａ））への付勢力により摺動許容範囲の最も左側の位置で停止した状態にある。このときのオンロック部３０５の位置をオンロック解除位置と呼ぶ。このとき、係合部３０５５と係合部３０４２とが係合していない状態にある。
【００９２】スイッチレバー部３０４、オンロック部３０５、オフロック部１０６のいずれも動作をしていない状態のときに、作業者がスイッチレバー部３０４の平坦部１０４１を握り図１４（ｂ）で示されるＢ１方向の外力を加えたとしても、第３突出部１０６３の凸部の上面が係止部２１６の下面に当たる構成となっており、平坦部１０４１は所定の角度以上に揺動できないため、モータ３を駆動させるための押しボタン２１１ａは第２突出部１０４４によって押圧されない。このときのオフロック部１０６の位置をオフロック位置と呼ぶ。また、平坦部１０４１の位置が図１４（ａ）の位置にあり、押しボタン２１１aが第２突出部１０４４によって押圧されていないときのスイッチレバー部３０４の位置をオフ位置と呼ぶ。
【００９３】作業者がオフロック部１０６のレバー部１０６１に対して図１４（ａ）のＡ１方向に外力を加えてレバー部１０６１を前方に摺動させると、レバー部１０６１に設けられた第３突出部１０６３は係止部２１６に対して前方に摺動する。これにより、第３突出部１０６３の上端部と係止部２１６とは上下方向において対向しなくなり、平坦部１０４１はＢ１方向に揺動可能となる。このとき、スイッチレバー部３０４及びオンロック部３０５に対して何ら外力が加わっておらずスイッチレバー部３０４及びオンロック部３０５は初期位置のままである。図１４（ｂ）で示されるオフロック部１０６の位置で、第３突出部１０６３の上端部と係止部２１６とが上下付お香において対向しなくなり、平坦部１０４１がＢ１方向に揺動を許容する状態のオフロック部１０６の位置をオフロック解除位置と呼ぶ。ディスクグラインダ３００は、オフロック部１０６がオフロック解除位置で且つオンロック部３０５がオンロック解除位置のときに、スイッチレバー部３０４の平坦部１０４１がＢ１方向に揺動可能となる。
【００９４】図１４（ｂ）の状態で、作業者が、ばね１０６４の付勢力に抗して、オフロック部１０６のレバー部１０６１に外力を加えてオフロック部１０６をオフロック解除位置で維持させたまま、スイッチレバー部３０４にＢ１方向の外力を加えると、平坦部１０４１はＢ１方向に揺動する。このとき、オンロック部３０５に対して何ら外力が加わっておらずオンロック部３０５は初期位置のままである。平坦部１０４１がＢ1方向に揺動するに伴い、スイッチレバー部３０４に設けられた第２突出部１０４４が上方に移動してスイッチ２１１の押しボタン２１１ａが押圧される。これに伴い、外部電源から電源コード２１５を通じてモータ３に電力が供給され、モータ３が駆動する（図１５（ａ））。平坦部１０４１が図１５（ａ）の位置にあり、第２突出部１０４４によって押しボタン２１１ａが押圧されているときのスイッチレバー部３０４の位置をオン位置と呼ぶ。
【００９５】図１５（ａ）で示されるスイッチレバー部３０４をオン位置に維持した状態で、作業者がオンロック部３０５の摺動部３０５１を図１５（ａ）のＣ１方向（前方）に摺動させると、摺動部３０５１の後端部と接続されている中間部３０５２の係合部３０５５が支点部３０５４の回動軸心を中心にＤ２方向（図１５（ａ））に揺動する。これにより、中間部３０５２に設けられた係合部３０５５は係合部３０４２の爪部の下方に位置するように略後方に移動する。このとき、第３突出部１０６３の凸部の上面は係止部２１６の下面よりも上方に位置し、第３突出部１０６３の凸部は所定の距離をおいて係止部２１６の前方に位置したままである。作業者がばね３０５３の付勢力に抗して摺動部３０５１を指で押さえて揺動許容範囲の最も右側の位置で維持した状態で平坦部１０４１を握る力を徐々に弱めると、スイッチレバー部３０４は、ばね１０４６の付勢力により図示せぬ回動軸心を中心にＢ２方向（時計回り）に揺動し、これに伴いスイッチレバー部３０４に設けられた係合部３０４２の爪部が下方に移動し、係合部３０５５の爪部と係合部３０４２の爪部とが係合する（図１５（ｂ））。このとき、作業者がオンロック部３０５の摺動部３０５１から指を離しても、スイッチレバー部３０４をＢ２方向に付勢してスイッチレバー部３０４側に設けられた係合部３０４２を下降させるばね１０４６の付勢力は、係合部３０５５をテールカバー３２１に対して略前方に付勢するばね３０５３の付勢力よりも大きいため、係合部３０５５と係合部３０４２との係合が維持されつつ、所定の外力が働かない限り係合部３０５５の爪部と係合部３０４２の爪部との係合が外れることはない。テールカバー３２１に支持されたオンロック部３０５の係合部３０５５の爪部とスイッチレバー部３０４の係合部３０４２の爪部との係合によって、スイッチレバー部３０４はＢ２方向への揺動を停止する。このとき、作業者がレバー部１０６１から手を離すと第３突出部１０６３の凸部の後面が係止部２１６の前面と当接し、オフロック部１０６は後方への摺動を停止する。また、このとき作業者がスイッチレバー部３０４から手を離してもスイッチレバー部３０４の位置はオン位置に維持され、モータ３は駆動し続ける。この状態におけるオンロック部３０５の位置をオンロック位置と呼ぶ。このとき、モータ３が駆動し、且つスイッチレバー部３０４、オンロック部３０５、オフロック部１０６のいずれも動作を停止している状態にある。この状態をディスクグラインダ３００のオンロック状態と呼ぶ。
【００９６】次に、ディスクグラインダ３００の作動を停止するときの動作について説明する。ディスクグラインダ３００がオンロック状態にある場合に（図１５（ｂ））、作業者がスイッチレバー部３０４を把持して平坦部１０４１を握ってＢ１方向に外力を加えると、スイッチレバー部３０４に設けられた係合部３０４２がオンロック部３０５に対して上方に移動するため、係合部３０４２の爪部は係合部３０５５の爪部から離間して両者の係合は解除される（図１５（ａ））。これにより、オンロック部３０５の摺動部３０５１はばね３０５３の付勢力によってＣ２方向に摺動し、摺動部３０５１はオンロック解除位置に向けて摺動し、摺動許容範囲の最も右側の位置で停止する（図１５（ａ））。係合部３０４２の爪部と係合部３０５５の爪部との係合が解除されたことにより、スイッチレバー部３０４はＢ２方向に揺動可能になり、作業者がスイッチレバー部３０４から手を離すとスイッチレバー部３０４はばね１０４６の付勢力により更にＢ２方向に揺動して、オフ位置で移動を停止する（図１４（ｂ））。これに伴いオフロック部１０６のレバー部１０６１はばね１０６４の付勢力によりＡ２方向に摺動し、レバー部１０６１は摺動許容範囲の最も後側の位置で停止する。スイッチレバー部３０４のＢ２方向への揺動に伴い第２突出部１０４４の上面は押しボタン２１１ａから離間する方向に移動し、当該離間距離が所定の大きさに達すると、電源コード２１５を介した外部電源からモータ３への電力の供給が停止し、モータ３は駆動を停止する。このとき、モータ３の駆動、及びスイッチレバー部３０４、オンロック部３０５、オフロック部１０６のいずれの動作も停止しており、ディスクグラインダ３００の状態は初期位置の状態となる（図１４（ａ））。以上のように、本発明の第４の実施の形態では、オフロック部１０６よりも前方にオンロック部３０５を配置することで作業性を向上させつつ、それぞれの配置を考慮することで更なる作業性の向上を図ることができる。
【符号の説明】
【００９７】１，１００，２００，３００…ディスクグラインダ、３…モータ、８…砥石、４…スイッチレバー、１０４，３０４…スイッチレバー部、５，１０５…オンロックレバー、３０５…オンロック部、６…オフロックレバー、１０６…オフロック部、２０６…摺動部
【図１】
2020110543.tif 000003
【図２】
2020110543.tif 000004
【図３】
2020110543.tif 000005
【図４】
2020110543.tif 000006
【図５】
2020110543.tif 000007
【図６】
2020110543.tif 000008
【図７】
2020110543.tif 000009
【図８】
2020110543.tif 000010
【図９】
2020110543.tif 000011
【図１０】
2020110543.tif 000012
【図１１】
2020110543.tif 000013
【図１２】
2020110543.tif 000014
【図１３】
2020110543.tif 000015
【図１４】
2020110543.tif 000016
【図１５】
2020110543.tif 000017
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに収容されるモータと、
前記ハウジングの一部であり、オン位置とオフ位置との間を移動可能で前記オン位置のときに前記モータが駆動し前記オフ位置のときに前記モータが停止する操作部と、
前記モータを駆動状態で維持可能なオンロック手段と、を有し、
前記オンロック手段の少なくとも一部は、前記モータをオンさせる操作の前では露出せず、前記モータをオンさせる操作によって露出して操作可能となることを特徴とする作業機。
【請求項２】
ハウジングと、
前記ハウジングに収容されるモータと、
前記ハウジングの一部であり、オン位置とオフ位置との間を移動可能で前記オン位置のときに前記モータが駆動し前記オフ位置のときに前記モータが停止する操作部と、
前記操作部を前記オン位置で維持させるオンロック位置と前記操作部の動作を許容するオンロック解除位置との間で前記ハウジングに移動可能に支持され、少なくとも前記操作部が前記オン位置にある際に前記ハウジングから突出するオンロック手段と、を有し、
前記オンロック手段の少なくとも一部は前記ハウジングの内部に位置するとともに、前記操作部の位置に応じて前記ハウジングの内部に位置する体積が変化するよう構成され、
前記オンロック手段が操作されていない状態において、前記操作部が前記オン位置のときの前記オンロック手段の前記ハウジングからの突出量が、前記操作部が前記オフ位置のときの前記オンロック手段の前記ハウジングからの突出量よりも大きいことを特徴とする作業機。
【請求項３】
前記ハウジングとの間に内部空間を形成するように前記ハウジングの外壁に設けられた遮蔽部をさらに有し、
前記オンロック手段の全体は、前記操作部が前記オフ位置のときに前記内部空間に位置することを特徴とする請求項１又は２に記載の作業機。
【請求項４】
前記操作部が前記オン位置のときに前記オンロック手段の一部が前記遮蔽部から外方に突出するように構成されていることを特徴とする請求項３に記載の作業機。
【請求項５】
前記操作部が前記遮蔽部を有することを特徴とする請求項３又は４に記載の作業機。
【請求項６】
前記遮蔽部には貫通孔が形成され、前記操作部が前記オン位置のときに前記オンロック手段の一部が前記貫通孔から前記遮蔽部の外方に突出していることを特徴とする請求項３から５の何れか一に記載の作業機。
【請求項７】
前記操作部を前記オフ位置に維持するオフロック位置と前記操作部を前記オン位置に移動可能にするオフロック解除位置との間で前記ハウジングに移動可能に支持されるオフロック手段をさらに有し、
前記オフロック手段が前記オフロック位置にあるときの前記オンロック手段の前記ハウジングからの突出量は、前記オフロック手段が前記オフロック解除位置にあるときの前記オンロック手段の前記ハウジングからの突出量よりも小さいことを特徴とする請求項２に記載の作業機。
【請求項８】
前記オフロック手段は前記ハウジングに揺動可能に支持されていることを特徴とする請求項７に記載の作業機。
【請求項９】
前記オフロック手段は前記ハウジングに対して摺動可能に支持されていることを特徴とする請求項７に記載の作業機。
【請求項１０】
前記オフロック手段が前記オフロック解除位置で且つ前記オンロック手段が前記オンロック解除位置のときに前記操作部は前記オフ位置と前記オン位置との間を移動可能であることを特徴とする請求項７から９の何れか一に記載の作業機。
【請求項１１】
前記オフロック手段が前記オフロック解除位置から前記オフロック位置に向かうときの前記オフロック手段の移動方向と、前記オンロック手段が前記オンロック解除位置から前記オンロック位置に向かうときの前記オンロック手段の移動方向とが互いに反対方向であることを特徴とする請求項７から１０の何れか一に記載の作業機。
【請求項１２】
ハウジングと、
前記ハウジングに収容されるモータと、
前記ハウジングに支持され、オン位置とオフ位置との間を移動可能で前記オン位置のときに前記モータが駆動し前記オフ位置のときに前記モータが停止する操作部と、
前記操作部を前記オン位置で維持させるオンロック位置と前記操作部のオンロックを解除するオンロック解除位置との間で前記ハウジングに移動可能に支持されるオンロック手段と、
前記操作部を前記オフ位置に維持するオフロック位置と前記操作部を前記オン位置に移動可能にするオフロック解除位置との間で前記ハウジングに移動可能に支持されるオフロック手段と、
前記ハウジングの長手方向一端部において前記ハウジングに支持され前記モータの駆動力を受けて回転し工具を取付け可能な工具取付部と、を有し、
前記オンロック手段は前記オフロック手段よりも前記長手方向において前記工具取付部側にあることを特徴とする作業機。
【請求項１３】
前記モータは前記ハウジングの長手方向に延びる回転軸を有し、前記オンロック手段は前記回転軸に対して一方側に位置し、前記オフロック手段は前記回転軸に対し他方側に設けられていることを特徴とする請求項１２に記載の作業機。
【請求項１４】
前記オンロック手段は、前記操作部の位置に応じて前記ハウジングの内部に位置する体積が変化するよう構成され、
前記操作部が前記オン位置のときの前記オンロック手段の前記ハウジングからの突出量は、前記操作部が前記オフ位置のときの前記オンロック手段の前記ハウジングからの突出量よりも大きいことを特徴とする請求項１に記載の作業機。
【請求項１５】
前記操作部を前記オフ位置に維持するオフロック位置と前記操作部を前記オン位置に移動可能にするオフロック解除位置との間で前記ハウジングに移動可能に支持されるオフロック手段をさらに有し、
前記モータをオンさせる操作は、前記操作部への操作、または前記オフロック手段に対する操作の少なくとも一方を含むことを特徴とする請求項１に記載の作業機。
【手続補正２】
【補正対象書類名】明細書
【補正対象項目名】全文
【補正方法】変更
【補正の内容】
【発明の詳細な説明】
【技術分野】
【０００１】
本発明は作業機に関する。
【背景技術】
【０００２】
従来、ディスクグラインダ等で、ハウジングに設けられたスイッチレバーを握ることでモータのスイッチがオン状態になり、モータの駆動力によって本体に取付けられた工具を回転させる作業機が知られている。この種の作業機では、作業者が意図せずモータのスイッチがオン状態にならないようにモータのスイッチのオフ状態を維持させるためのオフロック手段や、モータのスイッチのオン状態を維持させるためのオンロック手段を備える構成が提案されている。（例えば、特許文献１参照）。
【先行技術文献】
【特許文献】
【０００３】
【特許文献１】特開２０１１−１４３４９２号公報
【発明の概要】
【発明が解決しようとする課題】
【０００４】
しかし、特許文献１に記載の作業機では、オンロック手段であるオンロックレバーがハウジングから常時露出しており、モータをオンさせる動作の前でもオンロックレバーに操作力を加えられる構成であるため、オンロックレバーに操作力が加えられた状態で作業者がスイッチをオン状態にしたときに、意図せずオンロックが有効になる恐れがある。また、オフロック手段とオンロック手段の操作箇所を別の位置にすることも誤ったオンロック操作を抑制する効果があるが、特許文献１に記載されるような構成では、スイッチレバーよりも後方にオンロック手段が位置しているため、一方の手でオフロック手段及びスイッチレバーを操作しながら他方の手でオンロック操作を行わなければならず、こうした場合把持状態が不安定になる恐れがある。
【０００５】
上記課題に鑑み、本発明は、モータのスイッチをオン状態にしたときに作業者が意図せずオンロックが有効にならないような構成の作業機を提供することを目的とする。また、別の目的として、操作性の良いオンロック手段を有する作業機を提供することを目的とする。
【課題を解決するための手段】
【０００６】
上記課題を解決するために本発明は、ハウジングと前記ハウジングに収容されるモータと、前記ハウジングの一部であり、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持されるオンロック手段と、を有し、前記オンロック手段の少なくとも一部は、前記モータをオンさせる操作の前では前記ハウジングの内部に収容されるとともに、前記モータをオンさせる操作によって前記ハウジングの外部に位置して操作可能となることを特徴とする作業機を提供する。
【０００７】
このような構成によれば、意図せずオンロックが有効になってオン位置が維持されることが抑制され、作業性を向上させることができる。
【０００８】
本発明は更に、ハウジングと前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持され、少なくとも前記操作部が前記オン位置にある際に前記ハウジングから突出するオンロック手段と、を有し、前記オンロック手段の少なくとも一部は前記ハウジングの内部に収容されるとともに、前記操作部の位置に応じて前記ハウジングの内部に位置する体積が変化するよう構成され、前記操作部が前記オン位置のときの前記オンロック手段の前記ハウジングからの突出量は、前記操作部が前記オフ位置のときの前記オンロック手段の前記ハウジングからの突出量よりも大きいことを特徴とする作業機を提供する。
【０００９】
このような構成によれば、操作部がオフ位置のときのオンロック手段のハウジングからの突出量は、操作部がオン位置のときのオンロック手段の突出量よりも小さいため、操作部がオフ位置のときのオンロック手段の操作は操作部がオン位置のときの操作と比べて困難となり、操作部をオン位置にしたときにオンロック状態となることを防止でき、意図せずオンロックが有効になってオン位置が維持されることが抑制され、作業性を向上させることができる。
【００１０】
上記構成の作業機において、前記ハウジングとの間に内部空間を形成するように前記ハウジングの外壁に設けられた遮蔽部をさらに有し、前記オンロック手段の全体は、前記操作部が前記オフ位置のときに前記内部空間に収容されていることが好ましい。
【００１１】
このような構成によれば、操作部がオフ位置のときにオンロック手段の全体は遮蔽部とハウジングとの間の内部空間に収容され操作不可能な状態にあるため、作業者が操作部をオン位置にしたときにオンロック状態となることを防止でき、意図せずオンロックが有効になりオン位置が維持されることが抑制され、作業性を向上させることができる。
【００１２】
上記構成の作業機において、前記操作部が前記オン位置のときに前記オンロック手段の一部が前記遮蔽部から外方に突出するように構成されていることが好ましい。
【００１３】
上記構成の作業機において、前記操作部が前記遮蔽部を有することが好ましい。
【００１４】
上記構成の作業機において前記遮蔽部には貫通孔が形成され、前記操作部が前記オン位置のときに前記オンロック手段の一部が前記貫通孔から前記遮蔽部の外方に突出していることが好ましい。
【００１５】
上記構成の作業機において、前記操作部を前記オフ位置に維持するオフロック位置と前記操作部を前記オン位置に移動可能にするオフロック解除位置との間で前記ハウジングに移動可能に支持されるオフロック手段をさらに有し、前記オフロック手段が前記オフロック位置にあるときの前記オンロック手段の前記ハウジングからの突出量は、前記オフロック手段が前記オフロック解除位置にあるときの前記オンロック手段の前記ハウジングからの突出量よりも小さいことが好ましい。
【００１６】
このような構成によれば、オフロック手段によって操作部をオフ位置で維持させることによって、作業者が意図せず操作部がオン位置になることを抑制し、作業性を更に向上させることができる。
【００１７】
上記構成の作業機において、前記オフロック手段は前記ハウジングに揺動可能に支持されていることが好ましい。
【００１８】
上記構成の作業機において、前記オフロック手段は前記ハウジングに対して摺動可能に支持されていることが好ましい。
【００１９】
上記構成の作業機において、前記オフロック手段が前記オフロック解除位置で且つ前記オンロック手段が前記オンロック解除位置のときに前記操作部は前記オフ位置と前記オン位置との間を移動可能であることが好ましい。
【００２０】
上記構成の作業機において、前記オフロック手段が前記オフロック解除位置から前記オフロック位置に向かうときの前記オフロック手段の移動方向と、前記オンロック手段が前記オンロック解除位置から前記オンロック位置に向かうときの前記オンロック手段の移動方向とが互いに反対方向であることが好ましい。
【００２１】
このような構成によれば、オフロックを有効にするためにオフロック手段を移動させる方向と、オンロックを有効にするためにオンロック手段を移動させる方向とが互いに異なっており、作業者がオフロック手段とオンロック手段の操作の混同を抑制する構成になっているため、作業性を更に向上させることができる。
【００２２】
上記構成の作業機において、前記モータは前記ハウジングの長手方向に延びる回転軸を有し、前記オンロック手段は、前記オフロック手段とは前記モータの半径方向反対側に設けられていることが好ましい。
【００２３】
このような構成によれば、ハウジングの外壁においてオフロック手段がオンロック手段とは反対側に設けられており、作業者のオフロック手段とオンロック手段の操作の混同を抑制する構成になっているため、作業性を更に向上させることができる。
【００２４】
本発明は更に、ハウジングと前記ハウジングに収容されるモータと、前記ハウジングに支持され、オン位置とオフ位置との間を移動可能で前記オン位置のときに前記モータが駆動し前記オフ位置のときに前記モータが停止する操作部と、前記操作部を前記オン位置で維持させるオンロック位置と前記操作部のオンロックを解除するオンロック解除位置との間で前記ハウジングに移動可能に支持されるオンロック手段と、前記操作部を前記オフ位置に維持するオフロック位置と前記操作部を前記オン位置に移動可能にするオフロック解除位置との間で前記ハウジングに移動可能に支持されるオフロック手段と、前記ハウジングの長手方向一端部において前記ハウジングに支持され前記モータの駆動力を受けて回転し工具を取付け可能な工具取付部と、を有し、前記オンロック手段は前記オフロック手段よりも前記長手方向において前記工具取付部側にあることを特徴とする作業機を提供する。
【００２５】
このような構成によれば、作業者は一方の手で作業機の工具取付部側である前方を把持しつつ、他方の手でオフロック解除、操作部のオン位置への移動、オンロック有効化の一連の動作を上記の順番で行うことが容易となる。すなわち、オンロック手段がオフロック手段よりも工具取付部側に設けられているため、上記動作のうち最終工程であるオンロック有効化を操作するためのオンロック手段の位置がスイッチレバーを操作した作業者手の位置と対応する構成となっており、作業性を向上させることができる。
本発明はさらに、ハウジングと、前記ハウジングに収容されるモータと、前記ハウジングの一部であり、オン位置とオフ位置との間を移動可能で前記オン位置のときに前記モータが駆動し前記オフ位置のときに前記モータが停止する操作部と、前記モータを駆動状態で維持可能なオンロック手段と、を有し、前記オンロック手段の少なくとも一部は、前記モータをオンさせる操作の前では露出せず、前記モータをオンさせる操作によって露出して操作可能となることを特徴とする作業機を提供している。
本発明はさらに、ハウジングと、前記ハウジングに収容されるモータと、前記ハウジングの一部であり、オン位置とオフ位置との間を移動可能で前記オン位置のときに前記モータが駆動し前記オフ位置のときに前記モータが停止する操作部と、前記操作部を前記オン位置で維持させるオンロック位置と前記操作部の動作を許容するオンロック解除位置との間で前記ハウジングに移動可能に支持され、少なくとも前記操作部が前記オン位置にある際に前記ハウジングから突出するオンロック手段と、を有し、前記オンロック手段の少なくとも一部は前記ハウジングの内部に位置するとともに、前記操作部の位置に応じて前記ハウジングの内部に位置する体積が変化するよう構成され、前記オンロック手段が操作されていない状態において、前記操作部が前記オン位置のときの前記オンロック手段の前記ハウジングからの突出量が、前記操作部が前記オフ位置のときの前記オンロック手段の前記ハウジングからの突出量よりも大きいことを特徴とする作業機を提供している。
【発明の効果】
【００２６】
本発明の作業機によれば、作業者が操作部をオン位置にしたときに意図せずオンロックが有効になることを抑制することができる。また、本発明によれば、操作性の良いオンロック手段を有する作業機を提供できる。
【図面の簡単な説明】
【００２７】
【図１】本発明の第１の実施の形態に係るディスクグラインダの内部構造を示す断面図である。
【図２】本発明の第１の実施の形態に係るディスクグラインダのハウジングとオンロックレバーの外観を示す図であり、（a）はオンロックレバーが装着されたハウジングの分解斜視図、（ｂ）はオンロックレバーの分解斜視図、（ｃ）はオンロックレバーの斜視図である。
【図３】本発明の第１の実施の形態に係るディスクグラインダのスイッチレバーとオフロックレバーの外観を示す図であり、（a）はオフロックレバーの分解斜視図、（ｂ）オフロックレバー装着前のスイッチレバーを示す斜視図、（ｃ）はオフロックレバーが装着されたスイッチレバーを示す斜視図である。
【図４】本発明の第１の実施の形態に係るディスクグラインダの初期位置とオフロック解除位置の状態を示す図であり、（a）はオフロックレバーがオフロック位置にある状態、（ｂ）はオフロックレバーがオフロック解除位置にある状態を示す。
【図５】本発明の第１の実施の形態に係るディスクグラインダのオン位置とオンロック位置の状態を示す図であり、（a）はスイッチレバーがオン位置にある状態、（ｂ）はスイッチレバーがオン位置でオンロックレバーがオンロック位置となる直前の状態を示す。
【図６】本発明の第１の実施の形態に係るディスクグラインダのオン位置とオンロック位置の状態を示す図であり、スイッチレバーがオン位置でオンロックレバーがオンロック位置にある状態を示す。
【図７】本発明の第２の実施の形態に係るディスクグラインダの内部構造を示す断面図である。
【図８】本発明の第２の実施の形態に係るディスクグラインダの初期位置とオフロック解除位置の状態を示す図であり、（a）はオフロック部がオフロック位置にある状態、（ｂ）はオフロック部がオフロック解除位置にある状態を示す。
【図９】本発明の第２の実施の形態に係るディスクグラインダのオン位置とオンロック位置の状態を示す図であり、（a）はスイッチレバー部がオン位置にある状態、（ｂ）はスイッチレバー部がオン位置でオンロックレバーがオンロック位置にある状態を示す。
【図１０】本発明の第３の実施の形態に係るディスクグラインダの内部構造を示す断面図である。
【図１１】本発明の第３の実施の形態に係るディスクグラインダの初期位置とオフロック解除位置の状態を示す図であり、（a）は摺動部がオフロック位置にある状態、（ｂ）は摺動部がオフロック解除位置にある状態を示す。
【図１２】本発明の第３の実施の形態に係るディスクグラインダのオン位置とオンロック位置の状態を示す図であり、（a）は摺動部がオン位置にある状態、（ｂ）は摺動部がオン位置でオンロックレバーがオンロック位置にある状態を示す。
【図１３】本発明の第４の実施の形態に係るディスクグラインダの内部構造を示す断面図である。
【図１４】本発明の第４の実施の形態に係るディスクグラインダの初期位置とオフロック解除位置の状態を示す図であり、（a）はオフロック部がオフロック位置にある状態、（ｂ）はオフロック部がオフロック解除位置にある状態を示す。
【図１５】本発明の第４の実施の形態に係るディスクグラインダのオン位置とオンロック位置の状態を示す図であり、（a）はスイッチレバー部がオン位置にある状態、（ｂ）はスイッチレバー部がオン位置でオンロック部がオンロック位置にある状態を示す。
【発明を実施するための形態】
【００２８】
以下、本発明の第１の実施の形態に係る作業機の一例であるディスクグラインダ１について図１乃至図５を参照しながら説明する。図１は本発明の第１の実施の形態に係るディスクグラインダの内部構造を示す断面図である。
【００２９】
図１に示されているように、ディスクグラインダ１は、ハウジング２と、モータ３と、スイッチレバー４と、オンロックレバー５と、オフロックレバー６とを備えている。図１に示されている「上」を上方向、「下」を下方向、「前」を前方向、「後」を後方向と定義する。また、ディスクグラインダ１を後から見た場合の「右」を右方向、「左」を左方向と定義する。スイッチレバー４は本発明における「操作部」の一例であり、オンロックレバー５は本発明における「オンロック操作部」の一例であり、オフロックレバー６は本発明における「オフロック操作部」の一例である。
【００３０】
ハウジング２は、ディスクグラインダ１の外殻をなしており、テールカバー２１と、モータハウジング２２と、ギヤカバー２３と、スイッチレバー４とを有している。
【００３１】
テールカバー２１は、前後方向に延びる略円筒形状をなしており、ハウジング２の後端をなし、テールカバー２１の前端部とモータハウジング２２の後端部とが接続されている。テールカバー２１の内部にはスイッチ２１１が収容されている。テールカバー２１の下側面からは支持部２１２が下方に向かって延びており、支持部２１２の後方であってテールカバー２１の下側面には係止部２１３が設けられ、下側後端部には支点部２１４が設けられている。また、テールカバー２１の下端部には、スイッチレバー４とオンロックレバー５が取付けられている。また、テールカバー２１の後端部からは図示せぬ外部電源に接続される電源コード２１５が延出している。
【００３２】
モータハウジング２２は、前後方向に延びる略円筒形状をなしており、モータハウジング２２の前端部は、ギヤカバー２３の後端部に接続されている。モータハウジング２２の内部にはモータ３と、冷却ファン７とが収容されている。
【００３３】
ギヤカバー２３は、前後方向に延びる略円筒形状をなしており、内部に動力伝達部２３１を収容している。
【００３４】
スイッチ２１１は、スイッチ２１１の下側面から下方に突出するように設けられた押しボタン２１１ａを有する。押しボタン２１１ａの下側面を上方に向けて押圧すると上方に移動し、移動距離が所定の大きさに達すると電源コード２１５を通じてモータ３に電力が供給されるように構成されている。
【００３５】
モータ３は、前後方向に延びる回転軸３１を有する。回転軸３１は軸方向が前後方向に一致するようにモータハウジング２２の内部に配置されギヤカバー２３に固定されるベアリング３２とモータハウジング２２に固定されるベアリング３３を介して回転可能に支承されている。
【００３６】
冷却ファン７はモータ３の前方に位置し、モータ３の回転軸３１と同軸一体回転できるように回転軸３１に固定されている。冷却ファン７は、冷却ファン７の回転力によって、テールカバー２１に形成されたスリット状の吸気孔２１９から取り入れられた空気がモータ３を通過してギヤカバー２３に形成された図示せぬ排気孔から排出されるように構成されている。
【００３７】
動力伝達部２３１は、傘歯車２３２、２３３と、ベアリング２３４と、スピンドル２３５とを有している。動力伝達部２３１は、モータ３から先端工具である砥石８への動力伝達経路上に設けられ、回転軸３１（モータ３）の回転力を砥石８に対して伝達するように構成されている。スピンドル２３５は本発明における工具取付部の一例である。
【００３８】
スピンドル２３５は、モータ３の回転軸３１と直交して下方に延び、ギヤカバー２３に固定されるベアリング２３４により回転可能に支持されている。スピンドル２３５の下端には先端工具である砥石８が取付けられている。
【００３９】
傘歯車２３２はモータ３の回転軸の３１の前端に固定され、傘歯車２３２は回転軸３１と一体回転する。傘歯車２３２の前方には、傘歯車２３２に噛合する傘歯車２３３が設けられている。傘歯車２３３はスピンドル２３５の上部に固定されており、傘歯車２３３はスピンドル２３５と同軸一体回転する。また、傘歯車２３３の半径は傘歯車２３２の半径よりも大きい。
【００４０】
砥石８は円盤形状をなしており、ナット９を介してスピンドル２３５の延びる方向と直交するようにスピンドル２３５に取付けられている。砥石８は、例えば直径１００ｍｍのレジノイドフレキシブルトイシ、フレキシブルトイシ、レジノイドトイシ、サンディングディスク等からなる。砥石８は、用いる砥粒の種類の選択により金属、合成樹脂、大理石、コンクリートなどの表面研磨、曲面研磨が可能である。また、半円形状をなすホイルガード８１が砥石８の後側半分を覆うように取付けられている。ホイルガード８１は、研削された部材や破損した砥粒等の飛散を抑制するためのものである。
【００４１】
次に、本発明の第１の実施の形態に係るスイッチレバー４、オンロックレバー５、オフロックレバー６の構成について図１乃至図５を参照しながら説明する。図３（ｂ）に示されるように、スイッチレバー４は、テールカバー２１の長手方向に沿ってテールカバー２１の後端部から前端部に向けて延びており、底部４２と、前壁部４３と、左壁４４と、右壁４５と、突出部４６と、一対の支持部４７と、取付部４８ａ、４８ｂとを有している。左壁４４と、右壁４５と、底部４２は本発明における「遮蔽部」の一例である。
【００４２】
底部４２は略平板状でスイッチレバー４の底部をなし、取付部４８ａ、４８ｂは底部４２後端部の上面に設けられている。取付部４８ａ、４８ｂは略円環状をなし、底部４２の上面から上方に延びており、左右方向に所定の間隔をおいて配置されている。取付部４８ａ、４８ｂには、それぞれ左右方向に延びる貫通孔４８１ａ、４８１ｂが形成されている。取付部４８ａ、４８ｂは、貫通孔４８１ａ、４８１ｂに挿通される図示せぬ回動軸を介してテールカバー２１の支点部２１４（軸部）に揺動可能に固定されており、この構成によりスイッチレバー４はテールカバー２１の底部に対して支点部２１４（軸部）を中心に、図４（ｂ）で示すＢ１方向（時計回り）及びＢ２方向（反時計回り）に揺動可能となる。
【００４３】
底部４２の取付部４８ａ、４８ｂが設けられている位置の前方の位置には、略矩形で上下方向に貫通する第１貫通孔４９１が形成されている。また、底部４２の第１貫通孔４９１の前方の位置には、略矩形で上下方向に貫通する第２貫通孔４９２が形成されている。第２貫通孔４９２は、本発明における「貫通孔」の一例である。
【００４４】
支持部４７は、左右方向に所定の間隔をおいて位置する右支持部４７Ａと左支持部（不図示）とにより構成されている。右支持部４７Ａと左支持部（不図示）とは、左右対称に構成されているため、右支持部４７Ａについてのみ説明し、左支持部（不図示）についての詳細な構成の説明は省略する。右支持部４７Ａは、右壁４５から左方に延びる略直方体形状をなしている。右支持部４７Ａは、第１貫通孔４９１より上側に位置している。右支持部４７Ａには、受入溝４７ａが形成されている。受入溝４７ａは、右支持部４７Ａの左面から右方向に延び上方に開口している。
【００４５】
突出部４６は、底部４２の上面で支持部４７と第２貫通孔４９２との間に位置し、略円筒形状をなして上方に延びている。突出部４６は、下方に突出する爪部を有する係止部４６１と、円筒部４６２とを有している。前壁部４３は、底部４２の上面の前端部で第１貫通孔４９１の前方に位置し、平板形状をなし上方に延びている。左壁４４と右壁４５は、底部４２の上面の左右端部に位置し、前壁部４３及び突出部４６を左右両側から挟むようにして配置され、それぞれ平板形状をなし上方に延びている。
【００４６】
図２（ｂ）に示されるように、オンロックレバー５は、略平板形状をなしており、オンロックレバー５の上側の端部で先端に爪部を有し係止部４６１と係合可能な係合部５１、オンロックレバー５の中央部に位置し側面視環状をなす支点部５２、オンロックレバー５の係合部５１と反対側の端部をなすレバー部５３、円柱形状をなすシャフト５４、捩りばね５５を有する。シャフト５４は、支点部５２に形成された貫通孔５２１を挿通して、シャフト５４の両端がテールカバー２１の支持部２１２に固定されている。レバー部５３は、シャフト５４を中心に図５（ａ）のＣ１方向（時計回り）とＣ２方向（反時計回り）とに揺動可能となるように構成されている。また、捩りばね５５は、シャフト５４の周囲に巻かれており、オンロックレバー５のレバー部５３をＣ２方向に付勢している。
【００４７】
図３（ａ）に示されるように、オフロックレバー６は、略平板形状をなしており、オフロックレバー６の上側の端部の内端部６１、オフロックレバー６の中央部に位置し側面視環状をなす支点部６２、オフロックレバー６の内端部６１と反対側の端部をなすレバー部６３、円柱形状をなすシャフト６４、捩りばね６５を有する。シャフト６４は、支点部６２に形成された貫通孔６２１に挿通され、シャフト６４の両端はスイッチレバー４の右支持部４７Ａの受入溝４７ａ及び図示せぬ左支持部の図示せぬ受入溝に回転可能に固定されており、オフロックレバー６のレバー部６３は支点部６２の回動軸心を中心に図４（ａ）のＡ１方向（時計回り）及びＡ２方向（反時計回り）に揺動可能となるように構成されている。また、捩りばね６５はシャフト６４の周囲に巻かれており、レバー部６３をＢ２方向に付勢している。
【００４８】
次に、第１の実施の形態におけるディスクグラインダ１の動作、及びスイッチレバー４と、オンロックレバー５と、オフロックレバー６の操作について図４（a）乃至図６を参照して説明する。ディスクグラインダ１を動作させる際、作業者は一方の手でテールカバー２１の上面と、スイッチレバー４の底部４２を包み込むように把持する。また、必要に応じてモータハウジング２２の周囲、またはギヤカバー２３に取り付けられるサブハンドル等を他方の手で把持する。ディスクグラインダ１の重心はモータ３の領域に位置しており、作業者は重心を挟むように両手でディスクグラインダ１を把持する。図４（ａ）で示されるディスクグラインダ１の状態は、スイッチレバー４、オンロックレバー５、オフロックレバー６のいずれに対しても外力が加わっておらず、且つスイッチレバー４、オンロックレバー５、オフロックレバー６のいずれも動作をしていない初期位置の状態を示している。ディスクグラインダ１の初期位置の状態では、オフロックレバー６のレバー部６３の後面と第１貫通孔４９１を形成する内周面とが捩りばね６５のＡ２方向（図４（ａ））への付勢力により当接している。このとき、レバー部６３の先端部が第１貫通孔４９１から突出している。また、内端部６１とテールカバー２１の係止部２１３とは前後方向の同じ位置にあり、上下方向の所定の間隔をおいて対向している。初期位置の状態では、スイッチレバー４は自重により揺動許容範囲の最も下側の位置で停止した状態にある。また、初期位置の状態では、オンロックレバー５のレバー部５３が捩りばね５５のＣ２方向（図５（ａ））への付勢力により揺動許容範囲の最も右側の位置で停止した状態にある。このときのオンロックレバー５の位置をオンロック解除位置と呼ぶ。このとき、係合部５１と係止部４６１とが係合していない状態にある。
【００４９】
ディスクグラインダ１が初期位置の状態のときに作業者がスイッチレバー４の底部４２を握り、図４（ｂ）で示されるＢ１方向の外力を加えたとしても、オフロックレバー６の内端部６１の上面がテールカバー２１の係止部２１３の下面に当たる構成となっており、スイッチレバー４は所定の角度以上に揺動できないため、モータ３を駆動させるための押しボタン２１１ａは突出部４６によって押圧されない。このときのオフロックレバー６の位置をオフロック位置と呼ぶ。また、底部４２の位置が図４（ａ）の位置にあり、押しボタン２１１aが突出部４６によって押圧されていないときのスイッチレバー４の位置をオフ位置と呼ぶ。スイッチレバー４がオフ位置にあるとき、底部４２と、前壁部４３と、左壁４４と、右壁４５と、突出部４６と、テールカバー２１の底部の外表面とによって取囲まれる内部空間４２１が形成されている。内部空間４２１は本発明における「内部空間」の一例である（図４（a））。
【００５０】
図４（ａ）に示されるように、スイッチレバー４がオフ位置にあるとき、オンロックレバー５のレバー部５３の全体は内部空間４２１の内部に収容されている。このとき、オンロックレバー５のレバー部５３は内部空間４２１に収容されて操作不能な状態にあるため、作業者がスイッチレバー４を操作する前の段階でオンロックレバー５が操作されてオンロックが有効になることがない。このような構成であれば、作業者がスイッチレバー４をオン位置にして押しボタン２１１ａを押圧してモータ３を駆動させたときに意図せずオンロックが有効になりオン状態が維持されるような事態が生じることなく、操作性を向上させることができる。
【００５１】
初期位置の状態で、作業者がオフロックレバー６のレバー部６３に対して図４（ａ）のＡ１方向に外力を加えて支点部６２の回動軸心を中心にレバー部６３を揺動させると、内端部６１は後方に移動し、係止部２１３とオフロックレバー６との間の上下方向の間隔が拡大することにより、スイッチレバー４の底部４２はＢ１方向に揺動可能となる。このとき、スイッチレバー４及びオンロックレバー５に対して何ら外力が加わっておらずスイッチレバー４及びオンロックレバー５は初期位置のままである。図４（ｂ）で示されるオフロックレバー６の位置で、係止部２１３とオフロックレバー６との間に十分な上下方向の間隔があり底部４２がＢ１方向に揺動を許容する状態のオフロックレバー６の位置をオフロック解除位置と呼ぶ。ディスクグラインダ１は、オフロックレバー６がオフロック解除位置で且つオンロックレバー５がオンロック解除位置のときに、スイッチレバー４の底部４２がＢ１方向に揺動が可能となる。
【００５２】
図４（ｂ）の状態で、作業者がオフロックレバー６のレバー部６３に外力を加えてオフロックレバー６をオフロック解除位置で維持させたまま、スイッチレバー４の底部４２を握ってＢ１方向の外力を加えると、底部４２は支点部２１４の回動軸心を中心にＢ1方向に揺動する。このとき、オンロックレバー５に対して何ら外力が加わっておらずオンロックレバー５は初期位置のままである。底部４２がＢ1方向に揺動するに伴い、底部４２と共に同一方向に移動する突出部４６が上方に移動してスイッチ２１１の押しボタン２１１ａが押圧されてスイッチ２１１がオンされる。これに伴い、外部電源から電源コード２１５を通じてモータ３に電力が供給され、モータ３が駆動する（図５（a））。底部４２が図５（ａ）の位置にあり、突出部４６によって押しボタン２１１ａが押圧されているときのスイッチレバー４の位置をオン位置と呼ぶ。
【００５３】
モータ３が駆動すると、モータ３の回転軸３１と同軸一体回転する傘歯車２３２が回転する。傘歯車２３２の回転力は、傘歯車２３２と噛合している傘歯車２３３に伝達され、傘歯車２３３が回転する。傘歯車２３３の回転に伴い、傘歯車２３３と同軸一体回転するスピンドル２３５が回転しスピンドル２３５の下端に取付けられた砥石８が回転する。なお、モータ３の駆動力は傘歯車２３２と傘歯車２３３との半径比（ギヤ比）に応じて減速されてスピンドル２３５に伝達される。
【００５４】
作業者が底部４２をＢ１方向に揺動させると、スイッチレバー４の移動に伴い内部空間４２１に収容されていたオンロックレバー５のレバー部５３の一部は底部４２の第２貫通孔４９２から外部に突出するため、作業者はレバー部５３を操作可能、つまり外力を加えることが可能となる（図５（a））。このとき、図４（ａ）における内端部６１の前面は図５（ａ）に示すようにテールカバー２１の底面と当接しているため、作業者がオフロックレバー６のレバー部６３から指を離しても、レバー部６３はＡ２方向に揺動しない。
【００５５】
図５（ａ）で示されるスイッチレバー４をオン位置に維持した状態では、係止部４６１もスイッチレバー４の上昇と共に上昇しているので、作業者がオンロックレバー５の支点部５２の回動軸心を中心にレバー部５３を図５（ａ）のＣ１方向（時計回り）にスイッチレバー４に対して略前方に揺動させると、係合部５１は係止部４６１の下方に位置するように略後方に移動する（図５（ｂ））。このとき、オフロックレバー６の内端部６１の前面はテールカバー２１の底面と当接したままである。作業者が捩りばね５５の付勢力に抗してレバー部５３を指で押さえてレバー部５３の前側の面と第２貫通孔４９２を形成する内周面とを当接させた状態で底部４２を握る力を徐々に弱めると、スイッチレバー４は押しボタン２１１ａの付勢力によってＢ２方向（反時計回り）に揺動し、これに伴いスイッチレバー４に設けられた係止部４６１の爪部が下方に移動し、係合部５１の爪部と係止部４６１の爪部とが係合する（図６）。このとき、作業者がオンロックレバー５のレバー部５３から指を離しても、係止部４６１の移動が係合部５１によって阻害され、また押しボタン２１１ａの付勢力によりレバー部５３の前側の面と第２貫通孔４９２を形成する内周面とは当接したままとなり、係合部５１と係止部４６１の係合状態が維持されるので、スイッチレバー４のＢ２方向の揺動が規制される。より具体的には、テールカバー２１に支持されたオンロックレバー５の係合部５１の爪部とスイッチレバー４の係止部４６１の爪部との係合によるレバー部５３の前側の面と第２貫通孔４９２を形成する内周面との当接によって、スイッチレバー４はＢ２方向への揺動を停止する。このとき、作業者がスイッチレバー４から手を離してもスイッチレバー４の位置はオン位置に維持され、モータ３は駆動し続ける。この状態におけるオンロックレバー５の位置をオンロック位置と呼ぶ。このとき、モータ３が駆動し、且つスイッチレバー４、オンロックレバー５、オフロックレバー６のいずれも動作を停止している状態にある。この状態をディスクグラインダ１のオンロック状態と呼ぶ。
【００５６】
次に、ディスクグラインダ１の作動を停止するときの動作について説明する。ディスクグラインダ１がオンロック状態にある場合に（図６）、作業者がスイッチレバー４を握ってＢ１方向に外力を加えると、スイッチレバー４に設けられた係止部４６１がオンロックレバー５に対して上方に移動するため、係止部４６１の爪部は係合部５１の爪部から離間して両者の係合は解除される（図５（ｂ））。これにより、オンロックレバー５のレバー部５３は捩りばね５５の付勢力によってＣ２方向に揺動し、レバー部５３はオンロック解除位置に向けて揺動し、レバー部５３の後面が第２貫通孔４９２を形成する内周面と当接して停止する（図５（a））。係止部４６１の爪部と係合部５１の爪部との係合が解除されたことにより、スイッチレバー４はＢ２方向に揺動可能になり、作業者がスイッチレバー４から手を離すとスイッチレバー４は図示せぬ捩りばねの付勢力により更にＢ２方向に揺動して、オフ位置で移動を停止する（図４（ｂ））。スイッチレバー４の揺動に伴いテールカバー２１とスイッチレバー４の底部４２の前側の先端部との上下方向の距離が拡大していき、当該距離が所定値に達すると、オフロックレバー６の内端部６１の前面とテールカバー２１の底面とが離間する。これに伴いオフロックレバー６のレバー部６３は捩りばね６５の付勢力によりＡ２方向に揺動し、レバー部６３の後面が第１貫通孔４９１を形成する内周面と当接することで、レバー部６３は停止する。このとき、また、スイッチレバー４のＢ２方向への揺動に伴い突出部４６の上面は押しボタン２１１aから離間する方向に移動し、当該離間距離が所定の大きさに達すると、電源コード２１５を介した外部電源からモータ３への電力の供給が停止し、モータ３は駆動を停止する。このとき、モータ３の駆動、及びスイッチレバー４、オンロックレバー５、オフロックレバー６のいずれの動作も停止しており、ディスクグラインダ１の状態は初期位置の状態となる（図４（a））。
【００５７】
ディスクグラインダ１では、安定した把持状態を維持するため、作業者は一方の手で前方を把持しつつ、後方において他方の手でオフロックレバー６を操作してオフロック解除、スイッチレバー４のオン位置への移動、オンロックレバー５を操作してオンロック有効化、の一連の動作を上記の順番で行う必要があるところ、前後方向におけるオンロックレバー５の位置がスイッチレバー４の位置と重なるので、スイッチレバー４を操作している手でそのままオンロックレバー５を操作することが容易となり、把持の仕方を変更せずに済むので、安定した作業が可能となる。また、オフロックレバー６よりも前方の位置に設けられているため、オフロックレバー６を操作した後にオンロックレバー５を操作する手の動きを前方向に制限し、把持位置が重量物（モータ３やギヤカバー２３）から遠ざからないようにすることができる。また、オフロックレバー６を操作した一方の手はそのままに、前方を把持する他方の手によってオンロックレバー５を操作することも容易となる。総じて、作業性を向上させることができる。
【００５８】
また、ディスクグラインダ１は、オンロックレバー５のレバー部５３の少なくとも一部が、スイッチレバー４がオフ位置（初期位置）のときにハウジング２（テールカバー２１及びスイッチレバー４）の内部に収容され、レバー部５３の当該一部はスイッチレバー４がオン位置のときにハウジング２（スイッチレバー４）の外部に露出する構成となっているため、スイッチレバー４がオフ位置のときにオンロックレバー５へ外力を加えることはスイッチレバー４がオン位置のときと比べて困難となり、スイッチレバー４をオン位置にしたときに意図せずオンロックが有効になってオン位置が維持されることが抑制され、作業性を向上させることができる。また、非作業状態においてはオンロックレバー５がスイッチレバー４によって保護されるようになるので、例えば落下時等においてオンロックレバー５に衝撃が加わり難くなり、比較的小型な部品であるオンロックレバー５の破損を抑制することができる。
【００５９】
また、ディスクグラインダ１は、オフロックレバー６がオフロック位置からオフロック解除位置に向かうときのレバー部６３の移動方向と、オンロックレバー５がオンロック位置からオンロック解除位置に向かうときのレバー部５３の移動方向とが互いに反対方向となっており、作業者によるオフロックレバー６の操作とオンロックレバー５の操作との混同を抑制する構成になっており、作業性を更に向上させることができる。
【００６０】
本発明の第１の実施の形態にかかる作業機の一例であるディスクグラインダは、上述した実施の形態に限定されず、特許請求の範囲に記載した範囲で種々の変形や改良が可能である。例えば、上述した第１の実施の形態では、スイッチレバー４がオフ位置のときにオンロックレバー５のレバー部５３の全体が内部空間４２１に収容されており、スイッチレバー４がオン位置のときにレバー部５３が第２貫通孔４９２から外部に突出する構成となっているが、上述した構成の替わりに、スイッチレバー４がオン位置のときにオンロックレバー５のレバー部５３の少なくとも一部が内部空間４２１の内部に収容されるとともに、スイッチレバー４の位置に応じてレバー部５３が内部空間４２１の内部に位置する体積が変化するように構成してもよい。すなわち、スイッチレバー４がオン位置のときのレバー部５３の内部空間４２１からの突出量は、スイッチレバー４がオフ位置のときのレバー部５３の内部空間４２１からの突出量よりも大きくなるように構成されていてもよい。このような構成においても、モータ３をオンさせる操作前のとき、すなわちスイッチレバー４がオフ位置のときのレバー部５３の操作はスイッチレバー４がオン位置のときのレバー部５３の操作と比べて困難となるため、スイッチレバー４をオン位置にしたときにオンロック状態となることを防止し、意図せずオンロックが有効になってオン位置が維持されることが抑制され、作業性を向上させることができる。また、モータ３を駆動状態で維持するオンロック手段としてオンロックレバー５という機械的な構造となっているが、オンロックレバー５に換えて電子的なプッシュスイッチとしてもよい。この場合においても、オンロック手段はモータ３をオンさせる操作の前ではハウジング２の内部に位置して外力を加えることが困難となるので、誤ってオンロック手段が動作することを抑制できる。
【００６１】
次に、図７乃至図９を参照しながら、本発明の第２の実施の形態に係る作業機の一例であるディスクグラインダ１００について説明する。ディスクグラインダ１００は、基本的に第１の実施の形態に係るディスクグラインダ１と同一の構成を有しており、ディスクグラインダ１と同一の構成については、同一の参照番号を付し説明を適宜省略し、相違する構成及びより詳細に説明すべき構成について主に説明する。また、ディスクグラインダ１と同一の構成については、上記において説明した効果と同様の効果を奏する。
【００６２】
図７に示されているように、第２の実施の形態に係るディスクグラインダ１００においては、テールカバー２１に替えて、テールカバー１２１が設けられている。テールカバー１２１の内部には、スイッチ２１１の下方の位置に、下方に延出する係止部２１６が設けられている。テールカバー１２１の後端部にはテールカバー１２１の下端から上方に延びる第２係止部２１８が設けられている。また、第２の実施の形態に係るディスクグラインダ１００においては、スイッチレバー４に替えて、モータハウジング２２及びテールカバー１２１と平行に前後方向に延びるスイッチレバー部１０４が設けられている。また、第２の実施の形態に係るディスクグラインダ１００においては、オンロックレバー５に替えて、係合部１０５１を有するオンロックレバー１０５が設けられている（図７）。オンロックレバー１０５の捩りばね１０５５はレバー部１０５３を図７の時計回り方向に付勢しており、作業者はオンロックレバー１０５をオンロック位置に移動させるときにレバー部１０５３を捩りばね１０５５の付勢力に抗して反時計回り方向に揺動させる。また、第２の実施の形態に係るディスクグラインダ１００においては、オフロックレバー６に替えて、モータハウジング２２及びテールカバー１２１と平行に前後方向に延びるオフロック部１０６が設けられている。
【００６３】
スイッチレバー部１０４は、平坦部１０４１と、係合部１０４２と、第１突出部１０４３と、第２突出部１０４４と、後端部１０４５と、ばね１０４６とを有する。平板形状をなして前後方向に延びる平坦部１０４１平坦部１０４１の前端部はモータハウジングの下部に支持されている。平坦部１０４１の下面に対して上方向の外力を加えると、スイッチレバー部１０４は平坦部１０４１の前端部を中心に揺動可能である。係合部１０４２は、側面視逆Ｌ字形状をなし、平坦部１０４１の後端から上方に延出している。係合部１０４２の先端には爪部が設けられている。第１突出部１０４３は、側面視略三角形状をなし、係合部１０４２の後方に位置し、スイッチレバー部１０４の上面から上方に延出している。第２突出部１０４４は、側面視略三角形状をなし、スイッチレバー部１０４の上面から上方に延びている。第２突出部１０４４の上面は押しボタン２１１ａの下面と対向している。後端部１０４５は、スイッチレバー部１０４の後端部をなし、側面視逆Ｌ字形状をなすとともに、後方に延びる爪部を有し、後端部１０４５の爪部の下面は第２係止部２１８の上面の上方に位置している。ばね１０４６は、第１突出部に巻回され、スイッチレバー部１０４の上面から上方に延出し上端をテールカバー１２１の一部に固定され、スイッチレバー部１０４を下方に付勢している。また、スイッチレバー部１０４には、前後方向において係合部１０４２と第１突出部１０４３との間の位置に、上下方向に貫通する貫通孔１０４７が形成されている。
【００６４】
オフロック部１０６は、レバー部１０６１と、連結部１０６２と、第３突出部１０６３と、ばね１０６４と、制動部１０６５とを有している。レバー部１０６１は、スイッチレバー部１０４に対して前後方向に摺動可能にスイッチレバー部１０４に下方から支持されている。連結部１０６２は、複数の平板形状の部材が連結されることにより構成され、前後方向に延出している。連結部１０６２の前端部の下面はモータハウジング２２の底壁の内側面と当接している。また、連結部１０６２の中央部の下面はスイッチレバー部１０４の前部の上面と当接しており、連結部１０６２の後端部はレバー部１０６１の前端部と接続されている。また、連結部１０６２には、前後方向において貫通孔１０４７と同位置に、上下方向に延びる貫通孔１０６２ａが形成されている。貫通孔１０６２ａには、オンロックレバー１０５が配置されている。第３突出部１０６３は、側面視略矩形をなし、前後方向においてレバー部１０６１の中央に位置し、レバー部１０６１の上面から上方に延びている。第３突出部１０６３の上端には上方に突出する凸部が設けられている。ばね１０６４は、前後方向に延び、前後方向において第１突出部１０４３と第３突出部１０６３の間に設けられており、第３突出部１０６３を後方に付勢している。
【００６５】
制動部１０６５は、当接部１０７０と、押圧部１０７１と、一対のブレーキパッド１０７２と、中間部１０７３と、凸部１０７４と、引掛部１０７５と、ばね１０７６と、ばね１０７７とを有する。当接部１０７０は、円環形状をなし、冷却ファン７の前方に位置し、中央部に形成された貫通孔にはモータ３の回転軸３１が固定されている。これにより、回転軸３１と押圧部１０７１とは前後方向に延びる軸心を中心に一体回転可能である。押圧部１０７１は、円環形状をなし、当接部１０７０の前方に位置し、中央部に形成された貫通孔には回転軸３１が挿通されており、前後方向に移動可能にモータハウジング２２に支持されている。なお、押圧部１０７１の中央部に形成された貫通孔は回転軸３１の外径よりも大きい外径を有している。一対のブレーキパッド１０７２は、押圧部１０７１の後面に回転軸３１の軸心に関して対称に設けられている。中間部１０７３は、円環形状をなし、中央部に形成された貫通孔に回転軸３１が挿通されている。なお、中間部１０７３の中央部に形成された貫通孔は回転軸３１の外径よりも大きい外径を有している。また、ディスクグラインダ１００に外力が働いていない状態において、中間部１０７３の後面は押圧部１０７１の前面と当接しており、中間部１０７３の上端部後面はモータハウジング２２の内周面と当接しており、中間部１０７３の下端部は、連結部１０６２と接続されている。中間部１０７３は、中間部１０７３とモータハウジング２２の内周面との当接面付近の図示せぬ回動軸心を中心に揺動可能に、モータハウジング２２に支持されている。凸部１０７４は、側面視略矩形をなし、押圧部１０７１の貫通孔を形成する内周面の左側から右方に突出している。引掛部１０７５は、側面視Ｌ字形状をなし、凸部１０７４の上方の位置で中間部１０７３の後面から後方に延出しており、引掛部１０７５の後端部には下方に延びる爪部が設けられている。ばね１０７６は、前後方向において押圧部１０７１の前面とモータハウジング２２の内面との間に設けられて回転軸３１に挿通されており、前後方向に延びて押圧部１０７１を後方に付勢している。ばね１０７７は、回転軸３１よりも上方の位置で前後方向に延び、前後方向において中間部１０７３の前面とモータハウジング２２の内側面との間に設けられる引張ばねであり、中間部１０７３を後方に付勢している。ばね１０７７の付勢力により、連結部１０６２は、中間部１０７３を介して後方に付勢されている。
【００６６】
次に、第２の実施の形態におけるディスクグラインダ１００の動作、及びスイッチレバー部１０４と、オンロックレバー１０５と、オフロック部１０６の操作について図８（ａ）乃至図９（ｂ）を参照して説明する。
【００６７】
ディスクグラインダ１００を動作させる際、作業者は一方の手でスイッチレバー部１０４の平坦部１０４１の周囲またギヤカバーを支持し、他方の手でオフロック部１０６のレバー部１０６１の周囲を把持する。図８（ａ）で示されるディスクグラインダ１００の状態は、スイッチレバー部１０４、オンロックレバー１０５、オフロック部１０６のいずれに対しても外力が加わっておらず、且つスイッチレバー部１０４、オンロックレバー１０５、オフロック部１０６のいずれも動作をしていない状態を示している。当該状態においては、オフロック部１０６のレバー部１０６１は、ばね１０６４の付勢力により、摺動許容範囲の最も後側の位置で停止した状態にある。このとき、第３突出部１０６３の凸部の上面は、テールカバー１２１の係止部２１６の下面と上下方向に所定の距離をおいて対向している。また、初期位置の状態では、ばね１０４６によりスイッチレバー部１０４はＢ２方向（図８（ｂ））にテールカバー１２１に対して略下方に付勢されており、スイッチレバー部１０４の揺動許容範囲の最も下側の位置で停止した状態にある。また、オンロックレバー１０５のレバー部１０５３が捩りばね１０５５のＣ１方向（図９（ａ））への付勢力により揺動許容範囲の最も左側の位置で停止した状態にある。このときのオンロックレバー１０５の位置をオンロック解除位置と呼ぶ。このとき、係合部１０５１と係合部１０４２とが係合していない状態にある。また、初期位置の状態では、一対のブレーキパッド１０７２の後面と回転軸３１に設けられた当接部１０７０の前面とが当接しており、一対のブレーキパッド１０７２の後面は、ばね１０７６の付勢力により押圧部１０７１を介して当接部１０７０の前面に押圧されているため、誤作動で押しボタン２１１ａが押圧されてモータ３が駆動した場合であっても、一対のブレーキパッド１０７２の後面と当接部１０７０の前面との間の摩擦力よって、回転軸３１の回転は抑制される状態にある。このときの制動部１０６５の状態を、ブレーキ有効状態と呼ぶ。
【００６８】
スイッチレバー部１０４、オンロックレバー１０５、オフロック部１０６のいずれも動作をしていない状態のときに作業者がスイッチレバー部１０４に図８（ｂ）で示されるＢ１方向の外力を加えたとしても、第３突出部１０６３の凸部の上面が係止部２１６の下面に当たる構成となっており、平坦部１０４１は所定の角度以上に揺動できないため、モータ３を駆動させるための押しボタン２１１ａは第２突出部１０４４によって押圧されない。このときのオフロック部１０６の位置をオフロック位置と呼ぶ。また、平坦部１０４１の位置が図８（ａ）の位置にあり、押しボタン２１１aが第２突出部１０４４によって押圧されていないときのスイッチレバー部１０４の位置をオフ位置と呼ぶ。スイッチレバー部１０４がオフ位置にあるとき、貫通孔１０６２ａを形成する内周面と貫通孔１０４７を形成する内周面とに取囲まれる内部空間１４２１が形成されている（図８（a））。
【００６９】
図８（ａ）に示されるように、スイッチレバー部１０４がオフ位置にあるとき、オンロックレバー１０５のレバー部１０５３の全体は内部空間１４２１の内部に収容されている。このとき、オンロックレバー１０５のレバー部１０５３は内部空間１４２１に収容されて外力を加えることが困難な状態にあるため、作業者がスイッチレバー部１０４を操作する前の段階でオンロックレバー１０５に外力が加わり、意図せずオンロックが有効になることを抑制することができる。
【００７０】
作業者がオフロック部１０６のレバー部１０６１に対して図８（ａ）のＡ１方向に外力を加えてレバー部１０６１を前方に摺動させると、レバー部１０６１に設けられた第３突出部１０６３は係止部２１６に対して前方に摺動する。これにより、第３突出部１０６３の上端部と係止部２１６とが上下方向において対向しなくなり（図８（ｂ））、平坦部１０４１はＢ１方向に揺動可能となる。また、レバー部１０６１の摺動に伴い、連結部１０６２もＡ１方向に摺動して、連結部１０６２の前端部が中間部１０７３の下端部を前方に押すため、中間部１０７３は、中間部１０７３の上端部を中心に図８（ｂ）の時計回りに揺動する。これにより、中間部１０７３に設けられた引掛部１０７５も時計回りに揺動するため、引掛部１０７５の後端部をなす爪部は、押圧部１０７１に設けられた凸部１０７４と当接する（図８（ｂ））。引掛部１０７５が更に時計回りに揺動するとともに、ばね１０７６の付勢力に抗して凸部１０７４と共に押圧部１０７１を、モータハウジングに対して略前方に移動させる。これに伴い、押圧部１０７１に設けられた一対のブレーキパッド１０７２の後面は、当接部１０７０の前面から離間する。このときの制動部１０６５の状態を、ブレーキ解除状態と呼ぶ。このとき、スイッチレバー部１０４及びオンロックレバー１０５に対して何ら外力が加わっておらずスイッチレバー部１０４及びオンロックレバー１０５は初期位置のままである。図８（ｂ）で示されるオフロック部１０６の位置で、第３突出部１０６３の上端部と係止部２１６とが上下方向において対向しておらずテールカバー１２１の底面との間に十分な上下方向の間隔があり、平坦部１０４１がＢ１方向に揺動を許容する状態のオフロック部１０６の位置をオフロック解除位置と呼ぶ。ディスクグラインダ１００は、オフロック部１０６がオフロック解除位置で且つオンロックレバー１０５がオンロック解除位置のときに、スイッチレバー部１０４がＢ１方向に揺動可能となる。
【００７１】
図８（ｂ）の状態で、作業者が、ばね１０６４の付勢力に抗してオフロック部１０６のレバー部１０６１に外力を加えてオフロック部１０６をオフロック解除位置で維持させたまま、スイッチレバー部１０４の平坦部１０４１を握ってＢ１方向の外力を加えると、平坦部１０４１は、平坦部１０４１の前端部に位置するの図示せぬ回動軸心を中心にＢ1方向に揺動する。このとき、オンロックレバー１０５に対して何ら外力が加わっておらずオンロックレバー１０５は初期位置のままである。また、制動部１０６５はブレーキ解除状態にある。平坦部１０４１がＢ1方向に揺動するに伴い、スイッチレバー部１０４に設けられた第２突出部１０４４が上方に移動してスイッチ２１１の押しボタン２１１ａが押圧される。これに伴い、図示せぬ外部電源から電源コード２１５を通じてモータ３に電力が供給され、モータ３が駆動する（図９（ａ））。平坦部１０４１が図９（ａ）の位置にあり、第２突出部１０４４によって押しボタン２１１ａが押圧されているときのスイッチレバー部１０４の位置をオン位置と呼ぶ。
【００７２】
作業者が平坦部１０４１をＢ１方向に揺動させると、スイッチレバー部１０４の移動に伴い内部空間１４２１に収容されていたオンロックレバー１０５のレバー部１０５３の一部はスイッチレバー部１０４の貫通孔１０４７から外部に突出するため、作業者はレバー部１０５３を操作可能となる（図９（ａ））。このとき、図９（ａ）に示すように、第３突出部１０６３の凸部の上面は係止部２１６の下面よりも上方に位置し、第３突出部１０６３の凸部は所定の距離をおいて係止部２１６の前方に位置している。
【００７３】
図９（ａ）で示されるスイッチレバー部１０４をオン位置に維持した状態で、作業者がオンロックレバー１０５の支点部５２の回動軸心を中心にレバー部１０５３を図９（ａ）のＣ２方向（反時計回り）に揺動させると、係合部１０５１は係合部１０４２の爪部の下方に位置するように略前方に移動する（図９（ａ））。このとき、第３突出部１０６３の凸部の上面は係止部２１６の下面よりも上方に位置し、第３突出部１０６３の凸部の後面は所定の距離をおいて係止部２１６の前面の前方に位置したままである。作業者が捩りばね１０５５の付勢力に抗してレバー部１０５３を指で押さえて揺動許容範囲の最も右側の位置で維持した状態で平坦部１０４１を握る力を徐々に弱めると、スイッチレバー部１０４は、ばね１０４６の付勢力により平坦部１０４１の前端部を中心にＢ２方向（時計回り）に揺動し、これに伴いスイッチレバー部１０４に設けられた係合部１０４２の爪部が下方に移動し、係合部１０５１の爪部と係合部１０４２の爪部とが係合する（図９（ｂ））。このとき、作業者がオンロックレバー１０５のレバー部１０５３から指を離しても、スイッチレバー部１０４をＢ２方向に付勢してスイッチレバー部１０４側に設けられた係合部１０４２を下降させるばね１０４６の付勢力は、係合部１０５１をＣ１方向に付勢する捩りばね１０５５の付勢力よりも大きいため、係合部１０５１と係合部１０４２との係合が維持されつつ、所定の外力が働かない限り係合部１０５１の爪部と係合部１０４２の爪部との係合が外れることはない。テールカバー１２１に支持されたオンロックレバー１０５の係合部１０５１の爪部と、スイッチレバー部１０４の係合部１０４２の爪部との係合によって、スイッチレバー部１０４はＢ２方向への揺動を停止する。このとき、作業者がレバー部１０６１から手を離すと第３突出部１０６３の凸部の後面が係止部２１６の前面と当接し、レバー部１０６１は後方への摺動を停止する（９（ｂ））。また、このとき作業者が平坦部１０４１から手を離してもスイッチレバー部１０４の位置はオン位置に維持され、モータ３は駆動し続ける。この状態におけるオンロックレバー１０５の位置をオンロック位置と呼ぶ。このとき、モータ３が駆動し、且つスイッチレバー部１０４、オンロックレバー１０５、オフロック部１０６のいずれも動作を停止しており、制動部１０６５はブレーキ解除状態にある。この状態をディスクグラインダ１００のオンロック状態と呼ぶ。
【００７４】
次に、ディスクグラインダ１００の作動を停止するときの動作について説明する。ディスクグラインダ１００がオンロック状態にある場合に（図９（ｂ））、作業者がスイッチレバー部１０４を把持して平坦部１０４１を握ってＢ１方向に外力を加えると、スイッチレバー部１０４に設けられた係合部１０４２がオンロックレバー１０５に対して上方に移動するため、係合部１０４２の爪部は係合部１０５１の爪部から離間して両者の係合は解除される。これにより、オンロックレバー１０５のレバー部１０５３は捩りばね１０５５の付勢力によってＣ１方向に揺動し、レバー部１０５３はオンロック解除位置に向けて揺動し、揺動許容範囲の最も左側の位置で停止する（図９（ａ））。係合部１０４２の爪部と係合部１０５１の爪部との係合が解除されたことにより、スイッチレバー部１０４はＢ２方向に揺動可能になり、作業者が平坦部１０４１から手を離すと平坦部１０４１はばね１０４６の付勢力により更にＢ２方向に揺動して、スイッチレバー部１０４のオフ位置で移動を停止する（図８（ｂ））。これに伴いオフロック部１０６のレバー部１０６１はばね１０６４の付勢力によりＡ２方向に摺動し、レバー部１０６１は摺動許容範囲の最も後側の位置で停止する。このとき、押圧部１０７１に設けられた一対のブレーキパッド１０７２は、ばね１０７６の付勢力により当接部１０７０の前面に押圧され、制動部１０６５はブレーキ有効状態となる。平坦部１０４１のＢ２方向への揺動に伴い第２突出部１０４４の上面は押しボタン２１１ａから離間する方向に移動する。第２突出部１０４４が離間する方向に所定距離移動すると、電源コード２１５を介した外部電源からモータ３への電力の供給が停止し、モータ３は駆動を停止する。このとき、モータ３の駆動、及びスイッチレバー部１０４、オンロックレバー１０５、オフロック部１０６のいずれの動作も停止する（図８（ａ））。本実施の形態においても、スイッチレバー部１０４がオフ位置のときに、オンロックレバー１０５がハウジングの内部に収容されて外力が加わりにくい構成となっているので、意図せずオンロック状態になることを抑制できる。
【００７５】
次に、図１０を参照しながら、本発明の第３の実施の形態に係る作業機の一例であるディスクグラインダ２００について説明する。ディスクグラインダ２００は、基本的に第２の実施の形態に係るディスクグラインダ１００と同一の構成を有しており、ディスクグラインダ１００と同一の構成については、同一の参照番号を付し説明を適宜省略し、相違する構成及びより詳細に説明すべき構成について主に説明する。また、ディスクグラインダ１００と同一の構成については、上記において説明した効果と同様の効果を奏する。
【００７６】
図１０に示されているように、第３の実施の形態に係るディスクグラインダ２００においては、テールカバー１２１に替えて、テールカバー２２１が設けられている。テールカバー２２１は壁部２２１１を有し、壁部２２１１には前後方向に延びる貫通孔２２１１ａが形成される。また、第３の実施の形態に係るディスクグラインダ２００においては、スイッチレバー部１０４及びオフロック部１０６に替えて、摺動部２０６が設けられている。また、第３の実施の形態に係るディスクグラインダ２００においては、オンロックレバー１０５に替えて、オンロックレバー２０５が設けられている。オンロックレバー２０５の上端部には係合部２０５１が形成されており、下端部にはレバー部２０５３が形成されている。またオンロックレバー２０５は、捩りばね１０５５に替えて捩りばね２０５５を有している。捩りばね２０５５はレバー部２０５３を反時計回りに付勢しており、作業者はオンロックレバー２０５をオンロック位置に移動させるときにレバー部２０５３を図１０の時計回りに揺動させる。また、第３の実施の形態に係るディスクグラインダ２００のモータハウジング２２の底壁の内側面には、平板形状をなし前後方向に延びるリンク部２０７が設けられている。リンク部２０７の前端部は中間部１０７３の下端部に接続されている。
【００７７】
摺動部２０６は、モータハウジング２２及びテールカバー２２１と平行に前後方向に延び、前後方向に摺動可能にモータハウジング２２及びテールカバー２２１に支持されている。摺動部２０６の前端部の下面は、モータハウジング２２の底壁の内側面と当接しており、摺動部２０６の前端部の前面はリンク部２０７の後端部と当接している。摺動部２０６は、後端部２０６１と、把持部２０６２と、係合部２０６３と、突出部２０６４と、平坦部２０６５とを有する。後端部２０６１は、摺動部２０６の後端部をなし、貫通孔２２１１ａに挿入可能な前後方向に延びる爪部を有する。把持部２０６２は、前後方向において摺動部２０６の中央部に位置し、摺動部２０６の下面から下方に延出している。係合部２０６３は、側面視Ｌ字形状をなし、前後方向において把持部２０６２と同位置にあり、摺動部２０６の上面から上方に延びている。先端に係合部２０５１と係合可能な爪部が設けられている。突出部２０６４は、側面視矩形をなし、前後方向において押しボタン２１１ａと同位置にあり、摺動部２０６の上面から上方に延びており、突出部２０６４の上面は、押しボタン２１１ａの下面と対向している。平坦部２０６５は、平板形状をなし、モータハウジング２２の下側の位置に設けられ、モータハウジング２２と略平行に前後方向に延出している。また、摺動部２０６の底壁のオンロックレバー２０５の下方に位置する部分は、前方から後方にかけて上方に向かって傾斜しており、当該斜面には上下方向に貫通する貫通孔２０６６が形成されている。作業者が平坦部２０６５の下面に対して上方向の外力を加えると、摺動部２０６は、摺動部２０６の前端部に位置する図示せぬ回動軸心を中心に揺動可能である。また、摺動部２０６を前後方向に摺動させると、摺動部２０６はリンク部２０７を前方に押し、リンク部２０７の前端と接続されている中間部１０７３の下端部もモータハウジング２２の内部で略前方に移動する。
【００７８】
次に、第３の実施の形態におけるディスクグラインダ２００の動作、及びオンロックレバー２０５と摺動部２０６の操作について図１１（ａ）乃至図１２（ｂ）を参照して説明する。
【００７９】
ディスクグラインダ２００を動作させる際、作業者は一方の手で摺動部２０６の平坦部２０６５の周囲やギヤカバーを支持し、他方の手で摺動部２０６の把持部２０６２を把持する。図１１（ａ）で示されるディスクグラインダ２００の状態は、摺動部２０６及びオンロックレバー２０５のいずれに対しても外力が加わっておらず、且つ摺動部２０６及びオンロックレバー２０５のいずれも動作をしていない状態を示している。当該状態において、摺動部２０６はばね１０７７の付勢力により、摺動許容範囲の最も後側の位置で停止した状態にある。このとき、後端部２０６１の爪部は貫通孔２２１１ａに挿入されており、後端部２０６１の後面は壁部２２１１の前面と当接している。また、オンロックレバー２０５のレバー部２０５３が捩りばね２０５５のＣ２方向（図１２（ａ））への付勢力により揺動許容範囲の最も右側の位置で停止した状態にある。このときのオンロックレバー２０５の位置をオンロック解除位置と呼ぶ。このとき、係合部２０５１と係合部２０６３とが係合していない状態にある。
【００８０】
摺動部２０６及びオンロックレバー２０５のいずれも動作をしていない状態（図１１（ａ））のときに、作業者が摺動部２０６にＢ１方向の外力を加えたとしても、後端部２０６１の爪部が貫通孔２２１１ａを形成する内周面に当たる構成となっており、平坦部２０６５は所定の角度以上に揺動できないため、モータ３を駆動させるための押しボタン２１１ａは突出部２０６４によって押圧されない。このときの摺動部２０６の位置をオフロック位置と呼ぶ。また、平坦部２０６５の位置が図１１（ａ）の位置にあり、押しボタン２１１aが突出部２０６４によって押圧されていないときの摺動部２０６の位置をオフ位置と呼ぶ。摺動部２０６がオフ位置にあるとき、前後方向において貫通孔２０６６と同位置かつ摺動部２０６の外周面の内側に内部空間２４２１が形成されている（図１１（ａ））。
【００８１】
図１１（ａ）に示されるように、摺動部２０６がオフ位置にあるとき、オンロックレバー２０５のレバー部２０５３の全体は内部空間２４２１（ハウジング２）の内部に収容されている。このとき、オンロックレバー２０５のレバー部２０５３は内部空間２４２１に収容されて外力を加えることが困難な状態にあるため、作業者が摺動部２０６を操作する前の段階でオンロックレバー２０５が操作されてオンロックが有効になることを抑制できる。
【００８２】
作業者が摺動部２０６の把持部２０６２に対して図１１（ａ）のＡ１方向に外力を加えて把持部２０６２を前方に摺動させると、貫通孔２２１１ａの内部に挿入されていた後端部２０６１の爪部の全体は外部に露出する。これにより、後端部２０６１の爪部と貫通孔２２１１ａを規定する内周面とが上下方向において対向しなくなり、テールカバー２２１の底面との間に上下方向に所定の間隔が生じるため、平坦部２０６５はＢ１方向に揺動可能となる。図１１（ｂ）で示される摺動部２０６の位置で、後端部２０６１の爪部と平坦部２０６５がＢ１方向に揺動を許容する状態の摺動部２０６の位置をオフロック解除位置と呼ぶ。このとき、オンロックレバー２０５に対して何ら外力が加わっておらずオンロックレバー２０５は初期位置のままであるが、摺動部２０６の底壁の斜面に形成された貫通孔２０６６は、オンロックレバー２０５のレバー部２０５３に対して前方に移動するため、レバー部２０５３の先端部は貫通孔２０６６から僅かに突出する。言い換えると、ディスクグラインダ２００では、摺動部２０６がオフロック位置にあるときのレバー部２０５３のテールカバー２２１からの突出量は、摺動部２０６がオフロック解除位置にあるときのレバー部２０５３のテールカバー２２１からの突出量よりも小さい。このため、摺動部２０６がオフロック位置にあるときに、作業者が意図せず摺動部２０６がオン位置になることを抑制し作業性を更に向上させることができる。ディスクグラインダ２００は、摺動部２０６がオフロック解除位置で且つオンロックレバー２０５がオンロック解除位置のときに、摺動部２０６がＢ１方向に揺動可能となる。
【００８３】
図１１（ｂ）の状態で、作業者が摺動部２０６の把持部２０６２に外力を加えて摺動部２０６をオフロック解除位置で維持させたまま、摺動部２０６にＢ１方向の外力を加えると、摺動部２０６は、摺動部２０６の先端部を中心にＢ１方向に揺動する。このとき、オンロックレバー２０５に対しては何ら外力が加わっていないため、オンロックレバー２０５は初期位置のままである。摺動部２０６がＢ１方向に揺動するに伴い、摺動部２０６に設けられた突出部２０６４が上方に移動してスイッチ２１１の押しボタン２１１ａが押圧されてスイッチ２１１がオンされる。これに伴い、外部電源から電源コード２１５を通じてモータ３に電力が供給され、モータ３が駆動する（図１２（ａ））。平坦部２０６５が図１２（ａ）の位置にあり、突出部２０６４によってスイッチ２１１をオンしているときの摺動部２０６の位置をオン位置と呼ぶ。
【００８４】
作業者が摺動部２０６をＢ１方向に揺動させると、摺動部２０６の揺動に伴い、内部空間２４２１に収容されていたオンロックレバー２０５のレバー部２０５３の残りの部分は、摺動部２０６の貫通孔２０６６から外部に突出するため、作業者はレバー部２０５３を操作可能となる（図１２（ａ））。
【００８５】
図１２（ａ）で示される摺動部２０６をオン位置に維持した状態で、作業者がオンロックレバー２０５の支点部５２の回動軸心を中心にレバー部２０５３を図１２（ａ）のＣ１方向（時計回り）に摺動部２０６に対して略前方に揺動させると、係合部２０５１は係合部２０６３の爪部の下方に位置するように略後方に移動する（図１２（ａ））。作業者が捩りばね２０５５の付勢力に抗してレバー部２０５３を指で押さえてレバー部２０５３の前面と貫通孔２０６６を形成する内周面とを当接させた状態で平坦部２０６５を握る力を徐々に弱めると、摺動部２０６は自重により図示せぬ回動軸心を中心にＢ２方向（時計回り）に揺動し、これに伴い摺動部２０６に設けられた係合部２０６３の爪部が下方に移動し、係合部２０５１の爪部と係合部２０６３の爪部とが係合する（図１２（ｂ））。このとき、作業者がオンロックレバー２０５のレバー部２０５３から指を離しても、摺動部２０６をＢ２方向に付勢して摺動部２０６側に設けられた係合部２０６３を下降させる摺動部２０６の自重の大きさは、係合部２０５１をＣ２方向に付勢する捩りばね２０５５の付勢力よりも大きいため、係合部２０５１と係合部２０６３との係合が維持されつつ、レバー部２０５３の前面と貫通孔２０６６を形成する内周面とは当接したままであり、所定の外力が働かない限り係合部２０５１の爪部と係合部２０６３の爪部との係合が外れることはない。テールカバー２２１に支持されたオンロックレバー２０５の係合部２０５１の爪部と摺動部２０６の係合部２０６３の爪部との係合によるレバー部２０５３の前面と貫通孔２０６６を形成する内周面とは当接によって、摺動部２０６はＡ２方向への摺動及びＢ２方向への揺動を停止する。このとき作業者が摺動部２０６から手を離しても摺動部２０６の位置はオン位置に維持され、モータ３は駆動し続ける。この状態におけるオンロックレバー２０５の位置をオンロック位置と呼ぶ。このとき、モータ３が駆動し、且つ摺動部２０６、オンロックレバー２０５、摺動部２０６のいずれも動作を停止している状態にある。この状態をディスクグラインダ２００のオンロック状態と呼ぶ。
【００８６】
次に、ディスクグラインダ２００の作動を停止するときの動作について説明する。ディスクグラインダ２００がオンロック状態（図１２（ｂ））にある場合に、作業者が摺動部２０６を把持して平坦部２０６５を握ってＢ１方向に外力を加えると、摺動部２０６に設けられた係合部２０６３がオンロックレバー２０５に対して上方に移動するため、係合部２０６３の爪部は係合部２０５１の爪部から離間して両者の係合は解除される（図１２（ａ））。これにより、オンロックレバー２０５のレバー部２０５３は捩りばね２０５５の付勢力によってＣ２方向に揺動し、レバー部２０５３はオンロック解除位置に向けて揺動し、揺動許容範囲の最も右側の位置で停止する（図１２（ａ））。係合部２０６３の爪部と係合部２０５１の爪部との係合が解除されたことにより、摺動部２０６はＢ２方向に揺動可能になり、作業者が摺動部２０６から手を離すと摺動部２０６は自重により更にＢ２方向に揺動して、オフ位置で移動を停止する（図１１（ｂ））。これに伴い、摺動部２０６の把持部２０６２は、ばね１０７７の付勢力によりＡ２方向に摺動し、後端部２０６１の爪部は貫通孔２２１１ａの内部に挿入され、把持部２０６２は摺動許容範囲の最も後側の位置で停止する。また、摺動部２０６のＢ２方向への揺動に伴い突出部２０６４の上面は押しボタン２１１ａから離間する方向に移動する。突出部２０６４が押しボタン２１１ａから離間する方向に所定距離移動すると、当該離間距離が所定の大きさに達すると、電源コード２１５を介した外部電源からモータ３への電力の供給が停止し、モータ３は駆動を停止する。このとき、モータ３の駆動、及び摺動部２０６及びオンロックレバー２０５のいずれの動作も停止する（図１１（ａ））。なお、本発明の第３の実施の形態にかかる作業機の一例であるディスクグラインダは、上述した実施の形態に限定されず、特許請求の範囲に記載した範囲で種々の変形や改良が可能である。以上のように、第３の実施の形態では、第１及び第２の実施の形態と異なり、オンロックレバーが露出するタイミングが異なる。具体的には、スイッチレバーをオン位置にしたタイミングでオンロックレバーが露出する第１及び第２の実施の形態に対し、第３の実施の形態ではオフロックを解除したタイミングでオンロックレバー２０５が露出するようになっている。こういった構成であっても、オフロック解除前の初期状態ではオンロックレバー２０５が露出していないため、モータ３をオンする操作の前にオンロックレバー２０５に外力が加わることを抑制し、意図せずオンロック状態となってしまうことを抑制できる。
【００８７】
次に、図１３を参照しながら、本発明の第４の実施の形態に係る作業機の一例であるディスクグラインダ３００について説明する。ディスクグラインダ３００は、基本的に第２の実施の形態に係るディスクグラインダ１００と同一の構成を有しており、ディスクグラインダ１００と同一の構成については、同一の参照番号を付し説明を適宜省略し、相違する構成及びより詳細に説明すべき構成について主に説明する。また、ディスクグラインダ１００と同一の構成については、上記において説明した効果と同様の効果を奏する。
【００８８】
図１３に示されているように、第４の実施の形態に係るディスクグラインダ３００においては、テールカバー１２１に替えて、テールカバー３２１が設けられている。テールカバー３２１は、テールカバー３２１の上面のモータ３の後方の位置に上下方向に延びる貫通孔３２１１が形成されている点でテールカバー１２１と異なる。また、第４の実施の形態に係るディスクグラインダ３００においては、スイッチレバー部１０４に替えて、モータハウジング２２及びテールカバー３２１と平行に前後方向に延びるスイッチレバー部３０４が設けられている。スイッチレバー部３０４の上面には、係合部１０４２に替えて、第１突出部１０４３の後方の位置から上方に延び先端に側面視Ｌ字形状の爪部を有する係合部３０４２が設けられている。また、第４の実施の形態に係るディスクグラインダ３００においては、オンロックレバー１０５に替えて、オンロック部３０５が設けられている。
【００８９】
図１３に示されているように、オンロック部３０５は、摺動部３０５１と、中間部３０５２と、ばね３０５３とを有する。摺動部３０５１は、テールカバー３２１に前後方向に摺動可能に支持されており、摺動部３０５１の後端部は中間部３０５２の上端部と接続されている。また、作業者は摺動部３０５１を操作するための凸部が貫通孔３２１１から上方に突出している。ばね３０５３は、前後方向に延び、貫通孔３２１１の下方に位置し、前後方向において摺動部３０５１とテールカバー３２１の内壁との位置に配置され、摺動部３０５１を後方に付勢している。中間部３０５２は支点部３０５４と係合部３０５５とを有する。支点部３０５４は、上下方向において中間部３０５２の中央部分に位置しており、中間部３０５２は、支点部３０５４に形成された貫通孔を挿通する回転軸を介してテールカバー３２１に揺動可能に支承されている。係合部３０５５は、中間部３０５２の下端部に設けられており、係合部３０４２と係合可能な爪部を有している。第４の実施の形態に係るディスクグラインダ３００においては、オンロック部３０５は、オフロック部１０６とはモータ３の半径方向反対側に設けられている。換言すれば、モータ３の回転軸に対し一方（上）側にオンロック部３０５が位置し、他方（下）側にオフロック部１０６が配置されている。これによって、作業者がオンロック部３０５とオフロック部１０６とを混同して操作することを抑制する構成になっているため、作業性を更に向上させることができる。
【００９０】
次に、第４の実施の形態におけるディスクグラインダ３００の動作、及びスイッチレバー部３０４と、オンロック部３０５と、オフロック部１０６の操作について図１４（ａ）乃至図１５（ｂ）を参照して説明する。
【００９１】
ディスクグラインダ３００を動作させる際、作業者は一方の手でスイッチレバー部３０４の平坦部１０４１を把持し、他方の手でオフロック部１０６のレバー部１０６１を把持する。図１４（ａ）で示されるディスクグラインダ３００の状態は、スイッチレバー部３０４、オンロック部３０５、オフロック部１０６のいずれに対しても外力が加わっておらず、且つスイッチレバー部３０４、オンロック部３０５、オフロック部１０６のいずれも動作をしていない状態を示している。当該状態においては、オフロック部１０６のレバー部１０６１は、ばね１０６４の付勢力により、摺動許容範囲の最も後側の位置で停止した状態にある。このとき、第３突出部１０６３の凸部の上面は、テールカバー３２１の係止部２１６の下面と上下方向に所定の距離をおいて対向している。また、初期位置の状態では、ばね１０４６によりスイッチレバー部３０４はＢ２方向（図１４（ｂ））にテールカバー２２１に対して略下方に付勢されており、スイッチレバー部３０４の揺動許容範囲の最も下側の位置で停止した状態にある。また、オンロック部３０５の摺動部３０５１がばね３０５３のＣ２方向（図１５（ａ））への付勢力により摺動許容範囲の最も後側の位置で停止した状態にある。このときのオンロック部３０５の位置をオンロック解除位置と呼ぶ。このとき、係合部３０５５と係合部３０４２とが係合していない状態にある。
【００９２】
スイッチレバー部３０４、オンロック部３０５、オフロック部１０６のいずれも動作をしていない状態のときに、作業者がスイッチレバー部３０４の平坦部１０４１を握り図１４（ｂ）で示されるＢ１方向の外力を加えたとしても、第３突出部１０６３の凸部の上面が係止部２１６の下面に当たる構成となっており、平坦部１０４１は所定の角度以上に揺動できないため、モータ３を駆動させるための押しボタン２１１ａは第２突出部１０４４によって押圧されない。このときのオフロック部１０６の位置をオフロック位置と呼ぶ。また、平坦部１０４１の位置が図１４（ａ）の位置にあり、押しボタン２１１aが第２突出部１０４４によって押圧されていないときのスイッチレバー部３０４の位置をオフ位置と呼ぶ。
【００９３】
作業者がオフロック部１０６のレバー部１０６１に対して図１４（ａ）のＡ１方向に外力を加えてレバー部１０６１を前方に摺動させると、レバー部１０６１に設けられた第３突出部１０６３は係止部２１６に対して前方に摺動する。これにより、第３突出部１０６３の上端部と係止部２１６とは上下方向において対向しなくなり、平坦部１０４１はＢ１方向に揺動可能となる。このとき、スイッチレバー部３０４及びオンロック部３０５に対して何ら外力が加わっておらずスイッチレバー部３０４及びオンロック部３０５は初期位置のままである。図１４（ｂ）で示されるオフロック部１０６の位置で、第３突出部１０６３の上端部と係止部２１６とが上下方向において対向しなくなり、平坦部１０４１がＢ１方向に揺動を許容する状態のオフロック部１０６の位置をオフロック解除位置と呼ぶ。ディスクグラインダ３００は、オフロック部１０６がオフロック解除位置で且つオンロック部３０５がオンロック解除位置のときに、スイッチレバー部３０４の平坦部１０４１がＢ１方向に揺動可能となる。
【００９４】
図１４（ｂ）の状態で、作業者が、ばね１０６４の付勢力に抗して、オフロック部１０６のレバー部１０６１に外力を加えてオフロック部１０６をオフロック解除位置で維持させたまま、スイッチレバー部３０４にＢ１方向の外力を加えると、平坦部１０４１はＢ１方向に揺動する。このとき、オンロック部３０５に対して何ら外力が加わっておらずオンロック部３０５は初期位置のままである。平坦部１０４１がＢ1方向に揺動するに伴い、スイッチレバー部３０４に設けられた第２突出部１０４４が上方に移動してスイッチ２１１の押しボタン２１１ａが押圧される。これに伴い、外部電源から電源コード２１５を通じてモータ３に電力が供給され、モータ３が駆動する（図１５（ａ））。平坦部１０４１が図１５（ａ）の位置にあり、第２突出部１０４４によって押しボタン２１１ａが押圧されているときのスイッチレバー部３０４の位置をオン位置と呼ぶ。
【００９５】
図１５（ａ）で示されるスイッチレバー部３０４をオン位置に維持した状態で、作業者がオンロック部３０５の摺動部３０５１を図１５（ａ）のＣ１方向（前方）に摺動させると、摺動部３０５１の後端部と接続されている中間部３０５２の係合部３０５５が支点部３０５４の回動軸心を中心にＤ２方向（図１５（ａ））に揺動する。これにより、中間部３０５２に設けられた係合部３０５５は係合部３０４２の爪部の下方に位置するように略後方に移動する。このとき、第３突出部１０６３の凸部の上面は係止部２１６の下面よりも上方に位置し、第３突出部１０６３の凸部は所定の距離をおいて係止部２１６の前方に位置したままである。作業者がばね３０５３の付勢力に抗して摺動部３０５１を指で押さえて摺動許容範囲の最も前側の位置で維持した状態で平坦部１０４１を握る力を徐々に弱めると、スイッチレバー部３０４は、ばね１０４６の付勢力により図示せぬ回動軸心を中心にＢ２方向（時計回り）に揺動し、これに伴いスイッチレバー部３０４に設けられた係合部３０４２の爪部が下方に移動し、係合部３０５５の爪部と係合部３０４２の爪部とが係合する（図１５（ｂ））。このとき、作業者がオンロック部３０５の摺動部３０５１から指を離しても、スイッチレバー部３０４をＢ２方向に付勢してスイッチレバー部３０４側に設けられた係合部３０４２を下降させるばね１０４６の付勢力は、係合部３０５５をテールカバー３２１に対して略前方に付勢するばね３０５３の付勢力よりも大きいため、係合部３０５５と係合部３０４２との係合が維持されつつ、所定の外力が働かない限り係合部３０５５の爪部と係合部３０４２の爪部との係合が外れることはない。テールカバー３２１に支持されたオンロック部３０５の係合部３０５５の爪部とスイッチレバー部３０４の係合部３０４２の爪部との係合によって、スイッチレバー部３０４はＢ２方向への揺動を停止する。このとき、作業者がレバー部１０６１から手を離すと第３突出部１０６３の凸部の後面が係止部２１６の前面と当接し、オフロック部１０６は後方への摺動を停止する。また、このとき作業者がスイッチレバー部３０４から手を離してもスイッチレバー部３０４の位置はオン位置に維持され、モータ３は駆動し続ける。この状態におけるオンロック部３０５の位置をオンロック位置と呼ぶ。このとき、モータ３が駆動し、且つスイッチレバー部３０４、オンロック部３０５、オフロック部１０６のいずれも動作を停止している状態にある。この状態をディスクグラインダ３００のオンロック状態と呼ぶ。
【００９６】
次に、ディスクグラインダ３００の作動を停止するときの動作について説明する。ディスクグラインダ３００がオンロック状態にある場合に（図１５（ｂ））、作業者がスイッチレバー部３０４を把持して平坦部１０４１を握ってＢ１方向に外力を加えると、スイッチレバー部３０４に設けられた係合部３０４２がオンロック部３０５に対して上方に移動するため、係合部３０４２の爪部は係合部３０５５の爪部から離間して両者の係合は解除される（図１５（ａ））。これにより、オンロック部３０５の摺動部３０５１はばね３０５３の付勢力によってＣ２方向に摺動し、摺動部３０５１はオンロック解除位置に向けて摺動し、摺動許容範囲の最も後側の位置で停止する（図１５（ａ））。係合部３０４２の爪部と係合部３０５５の爪部との係合が解除されたことにより、スイッチレバー部３０４はＢ２方向に揺動可能になり、作業者がスイッチレバー部３０４から手を離すとスイッチレバー部３０４はばね１０４６の付勢力により更にＢ２方向に揺動して、オフ位置で移動を停止する（図１４（ｂ））。これに伴いオフロック部１０６のレバー部１０６１はばね１０６４の付勢力によりＡ２方向に摺動し、レバー部１０６１は摺動許容範囲の最も後側の位置で停止する。スイッチレバー部３０４のＢ２方向への揺動に伴い第２突出部１０４４の上面は押しボタン２１１ａから離間する方向に移動し、当該離間距離が所定の大きさに達すると、電源コード２１５を介した外部電源からモータ３への電力の供給が停止し、モータ３は駆動を停止する。このとき、モータ３の駆動、及びスイッチレバー部３０４、オンロック部３０５、オフロック部１０６のいずれの動作も停止しており、ディスクグラインダ３００の状態は初期位置の状態となる（図１４（ａ））。以上のように、本発明の第４の実施の形態では、オフロック部１０６よりも前方にオンロック部３０５を配置することで作業性を向上させつつ、それぞれの配置を考慮することで更なる作業性の向上を図ることができる。
【符号の説明】
【００９７】
１，１００，２００，３００…ディスクグラインダ、３…モータ、８…砥石、４…スイッチレバー、１０４，３０４…スイッチレバー部、５，１０５…オンロックレバー、３０５…オンロック部、６…オフロックレバー、１０６…オフロック部、２０６…摺動部
【国際調査報告】
2020110543.tif 000018
2020110543.tif 000019
2020110543.tif 000020
2020110543.tif 000021
2020110543.tif 000022
2020110543.tif 000023
2020110543.tif 000024
2020110543.tif 000025
2020110543.tif 000026